(57)【特許請求の範囲】
【請求項１】
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と
を備え、
前記複数の画像は、複数の群に分割されており、前記群に属する複数の画像は、順番に表示されることによって一続きの話を表す画像であり、
前記画像情報記憶手段は、前記順番に関する情報と、該画像が前記複数の群の何れに属するかを表す情報とを記憶しており、
前記表示制御手段は、前記識別情報変動遊技が実行されたと判定される毎に、前記順番に従って前記表示部に前記画像を表示させる手段であり、
前記順番に従って表示される複数の画像の中から、遊技者が所定の選択操作を行うことによって選択した画像を、前記表示部で表示を開始する開始画像として設定する設定手段を備え、
前記設定手段は、前記選択操作として、前記複数の群の中から何れかの群が選択された場合には、該選択された群の画像から表示されるように前記開始画像を設定する
ことを特徴とする遊技情報表示装置。
【請求項２】
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と
を備え、
前記複数の画像は、順番に表示されることによって一連の事柄を表す画像であり、
前記画像情報記憶手段は、前記順番に関する情報を記憶しており、
前記表示制御手段は、前記識別情報変動遊技が実行されたと判定される毎に、前記順番に従って前記表示部に前記画像を表示させる手段であり、
前記順番に従って表示される複数の画像の中から、遊技者が所定の選択操作を行うことによって選択した画像を、前記表示部で表示を開始する開始画像として設定する設定手段を備え、
前記表示制御手段は、遊技者が行う所定の再表示操作に応じて、既に表示された画像を再度表示させる
ことを特徴とする遊技情報表示装置。
【請求項３】
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と、
遊技者が入れ替わったことを判定する交替判定手段と
を備え、
前記複数の画像は、順番に表示されることによって一連の事柄を表す画像であり、
前記画像情報記憶手段は、前記順番に関する情報を記憶しており、
前記表示制御手段は、前記識別情報変動遊技が実行されたと判定される毎に、前記順番に従って前記表示部に前記画像を表示させるとともに、遊技者の入れ替わりが判定された場合に、最初の画像から表示させる
ことを特徴とする遊技情報表示装置。
【発明の詳細な説明】
【技術分野】
【０００１】
本発明は、遊技機での遊技に関する情報を表示する遊技情報表示装置に関する。
【背景技術】
【０００２】
遊技機には、遊技媒体を利用して遊技を行う遊技機（例えば、パチンコ機やスロットマシンなど）がある。この遊技機では、一般に、所定の変動条件が成立すると、識別情報を変動表示させる識別情報変動遊技が行われ、特定態様で停止表示されると遊技者にとって有利な特定状態（例えば、大当り状態など）が発生する（例えば、特許文献１など）。このため、こうした遊技機では、特定状態が発生することを期待して遊技が行われる。
【先行技術文献】
【特許文献】
【０００３】
【特許文献１】特開２０１６−４９３８１号公報
【発明の概要】
【発明が解決しようとする課題】
【０００４】
しかし、特定状態がなかなか発生しないと、飽きられて稼働の低下につながるという問題があった。
【０００５】
本発明は、上述した課題を解決するためになされたものであり、稼働の低下を抑制することが可能な遊技情報表示装置を提供することを目的とする。
【課題を解決するための手段】
【０００６】
上述した課題の少なくとも一部を解決するために、本発明の遊技情報表示装置では次の構成を採用した。すなわち、
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と
を備え、
前記複数の画像は、複数の群に分割されており、前記群に属する複数の画像は、順番に表示されることによって一続きの話を表す画像であり、
前記画像情報記憶手段は、前記順番に関する情報と、該画像が前記複数の群の何れに属するかを表す情報とを記憶しており、
前記表示制御手段は、前記識別情報変動遊技が実行されたと判定される毎に、前記順番に従って前記表示部に前記画像を表示させる手段であり、
前記順番に従って表示される複数の画像の中から、遊技者が所定の選択操作を行うことによって選択した画像を、前記表示部で表示を開始する開始画像として設定する設定手段を備え、
前記設定手段は、前記選択操作として、前記複数の群の中から何れかの群が選択された場合には、該選択された群の画像から表示されるように前記開始画像を設定する
ことを特徴とする。
あるいは、本発明の遊技情報表示装置では次の構成を採用した。すなわち、
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と
を備え、
前記複数の画像は、順番に表示されることによって一連の事柄を表す画像であり、
前記画像情報記憶手段は、前記順番に関する情報を記憶しており、
前記表示制御手段は、前記識別情報変動遊技が実行されたと判定される毎に、前記順番に従って前記表示部に前記画像を表示させる手段であり、
前記順番に従って表示される複数の画像の中から、遊技者が所定の選択操作を行うことによって選択した画像を、前記表示部で表示を開始する開始画像として設定する設定手段を備え、
前記表示制御手段は、遊技者が行う所定の再表示操作に応じて、既に表示された画像を再度表示させる
ことを特徴とする。
【０００７】
あるいは、上述した課題の少なくとも一部を解決するために、本発明の遊技情報表示装置では次の構成を採用した。すなわち、
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と、
遊技者が入れ替わったことを判定する交替判定手段と
を備え、
前記複数の画像は、順番に表示されることによって一連の事柄を表す画像であり、
前記画像情報記憶手段は、前記順番に関する情報を記憶しており、
前記表示制御手段は、前記識別情報変動遊技が実行されたと判定される毎に、前記順番に従って前記表示部に前記画像を表示させるとともに、遊技者の入れ替わりが判定された場合に、最初の画像から表示させる
ことを特徴とする。
【００１６】
尚、本明細書において、「前」および「表」は「遊技者に近接する側（遊技者から見て手前側）」を示し、「後」および「裏」は「遊技機の遊技者から離間する側（遊技者から見て奥側）」を示す。また、「上」とは遊技者から見て「上」であることを示し、「下」とは遊技者から見て「下」であることを示し、「左」とは遊技者から見て「左」であることを示し、「右」とは遊技者から見て「右」であることを示す。
【発明の効果】
【００１７】
本発明によれば、稼働の低下を抑制することができる。
【図面の簡単な説明】
【００１８】
【図１】本実施例の遊技ホールのネットワークを示す説明図である。
【図２】本実施例のパチンコ機の正面図である。
【図３】本実施例の遊技盤の盤面構成を示す説明図である。
【図４】本実施例のパチンコ機における制御回路の構成を示したブロック図である。
【図５】本実施例のセグメント表示部の構成を示す説明図である。
【図６】本実施例の演出表示装置の表示内容を例示する説明図である。
【図７】本実施例の主制御基板のＣＰＵによって実行される遊技制御処理を示すフローチャートである。
【図８】本実施例の特別動作処理を示すフローチャートである。
【図９】本実施例の特別図柄待機処理を示すフローチャートである。
【図１０】本実施例の変動中処理を示すフローチャートである。
【図１１】本実施例の特別図柄確定処理を示すフローチャートである。
【図１２】本実施例の特別電動役物処理を示すフローチャートである。
【図１３】本実施例の遊技機側からデータ表示機に向けて送信される信号を概念的に示した説明図である。
【図１４】本実施例のデータ表示機の正面図である。
【図１５】本実施例のデータ表示機における制御回路の構成を示したブロック図である。
【図１６】本実施例の表示制御処理を示すフローチャートである。
【図１７】本実施例の図柄確定信号対応処理を示すフローチャートである。
【図１８】本実施例のデータ表示機にて漫画画像を表示した様子を示す説明図である。
【図１９】本実施例の漫画画像ＩＤテーブルを概念的に示す説明図である。
【図２０】本実施例の漫画画像が切り替わる様子を示した説明図である。
【図２１】本実施例のデータ表示機に表示させる漫画画像の設定操作を示した前部分の説明図である。
【図２２】本実施例のデータ表示機に表示させる漫画画像の設定操作を示した中間部分の説明図である。
【図２３】本実施例のデータ表示機に表示させる漫画画像の設定操作を示した後部分の説明図である。
【図２４】本変形例の第１入球信号対応処理を示すフローチャートである。
【図２５】本変形例の漫画画像切替処理を示すフローチャートである。
【図２６】本変形例の第２入球信号対応処理を示すフローチャートである。
【図２７】本変形例の図柄確定信号対応処理を示すフローチャートである。
【図２８】本変形例の漫画画像が切り替わる様子を示した説明図である。
【発明を実施するための形態】
【００１９】
上述した本発明の実施例について説明する。以下の実施例は次のような順序に従って説明する。
Ａ．遊技ホールのネットワーク構成：
Ｂ．パチンコ機の構成：
Ｂ−１．装置前面側の構成：
Ｂ−２．遊技盤の構成：
Ｂ−３．制御回路の構成：
Ｂ−４．遊技の進行態様：
Ｂ−５．遊技制御処理：
Ｂ−６．信号の外部出力：
Ｃ．データ表示機の構成：
Ｃ−１．装置構成：
Ｃ−２．表示制御処理：
Ｄ．変形例：
【００２０】
Ａ．遊技ホールのネットワーク構成  ：
図１は、本実施例の遊技ホールのネットワーク構成を示す説明図である。図１に示すように、遊技ホールには複数のパチンコ機１が設置されている。各パチンコ機１の左方には、遊技者の残金情報を管理するカードユニット６０が設けられている。カードユニット６０には、紙幣を受け付ける紙幣投入口と、遊技者が入力操作可能なタッチパネル式の操作パネルと、残金を記憶したカードを返却する返却口とが設けられている。カードユニット６０はパチンコ機１と通信可能に接続されており、カードユニット６０が管理する残金情報に基づいてパチンコ機１側で遊技球が貸し出される。
【００２１】
各パチンコ機１の上方には、パチンコ機１毎の遊技に関するデータを表示するデータ表示機７０が設けられている。データ表示機７０は中継装置９０を介してパチンコ機１およびカードユニット６０と通信可能に接続されており、データ表示機７０ではパチンコ機１およびカードユニット６０から取得した情報に基づいて遊技に関するデータが表示される。尚、本実施例のデータ表示機７０は、本発明における「遊技情報表示装置」に対応する。
【００２２】
中継装置９０は、２台のパチンコ機１、２台のカードユニット６０および２台のデータ表示機７０に対して１台設けられている。各中継装置９０は、遊技ホールを管理するために必要な情報を管理するホールコンピュータ１００とも通信可能に接続されており、ホールコンピュータ１００では中継装置９０を介してパチンコ機１およびカードユニット６０から出力される情報が取得される。
【００２３】
Ｂ．パチンコ機の構成  ：
Ｂ−１．装置前面側の構成  ：
図２は、本実施例のパチンコ機１の正面図である。図２に示すように、パチンコ機１の前面部には、前面枠４が設けられている。前面枠４の略中央部には窓部４ａが形成されており、この窓部４ａには合成樹脂製の透明板４ｂが嵌め込まれている。遊技者は、窓部４ａ（透明板４ｂ）を通して奥側に配置される遊技盤２０（図３参照）の遊技領域を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部５０（図３参照）を視認可能である。詳しくは後述するが、セグメント表示部５０とは、複数のＬＥＤの組合せによって遊技に係る情報を表示する表示部である。
【００２４】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４の中央に大きく開口した窓部４ａの左右上方には上部スピーカー６ａが設けられており、本体枠の下部の前面（遊技者から見てパチンコ機１の一番下の位置）には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００２５】
前面枠４における窓部４ａの下方には、上皿部７が設けられている。上皿部７には、パチンコ機１に対応して設けられたカードユニット６０を介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００２６】
前面枠４における下皿部８の右方には、発射ハンドル９が設けられている。発射ハンドル９の回転軸は、発射ハンドル９の奥側に搭載された発射装置ユニット２６１（図４参照）に接続されている。この発射装置ユニット２６１には、上皿部７に貯留された遊技球が供給される。遊技者が発射ハンドル９を回転させると、その回転が発射装置ユニットに伝達され、発射装置ユニットに内蔵された発射モーターが回転して、回転角度に応じた強さで遊技球が発射される。
【００２７】
前面枠４の背面側には中枠および本体枠が設けられ、前面枠は、一端（図２における左側）が中枠に対して回動可能に軸支されており、中枠は、一端（図２における左側）が本体枠に対して回動可能に軸支されている。本体枠は、木製の板状部材を組み立てて構成された略長方形の枠体であり、パチンコ機１はこの本体枠が島設備に取り付けられることで遊技ホールに設置される。中枠の前面側には遊技盤２０が着脱可能に取り付けられており、前面枠４が中枠に対してパチンコ機１前方側に回動（開放）されると、遊技盤２０が露出された状態となる。
【００２８】
Ｂ−２．遊技盤の構成  ：
図３は、遊技盤２０の盤面構成を示す説明図である。図３に示すように、遊技盤２０の中央には略円形状の遊技領域２１が形成されている。遊技領域２１の周囲には、発射装置ユニット２６１（図４参照）から発射された遊技球を遊技領域２１へ案内する案内通路が、外レール２２と内レール２３とによって形成されている。発射装置ユニットから発射された遊技球は、この案内通路を通過して遊技領域２１に放出される。
【００２９】
遊技領域２１に放出された遊技球は、遊技領域２１の上部から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００３０】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。
【００３１】
遊技領域２１における中央装置４０（演出表示装置４１）の下方には、開口部の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサー２４ｓ（図４参照）が設けられており、第１始動口２４に入球した遊技球を検知可能である。
【００３２】
また、遊技領域２１における第１始動口２４の下方には、遊技球の入球可能性が変化する入球口（始動口）である第２始動口２５が設けられている。第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図３では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサー２５ｓ（図４参照）が設けられており、第２始動口２５に入球した遊技球を検知することが可能となっている。
【００３３】
また、遊技領域２１において中央装置４０（演出表示装置４１）の右方には、普通図柄作動ゲート２７が設けられており、普通図柄作動ゲート２７の内部には、遊技球の通過を検知するゲートセンサー２７ｓ（図４参照）が設けられている。
【００３４】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態とに変化可能である。図３では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサー２８ｓ（図４参照）が設けられており、大入賞口２８に入球した遊技球を検知可能である。
【００３５】
また、上述した各遊技装置の周辺には、遊技球が入球可能な一般入球口や、遊技球の流下経路に影響を与える風車型ホイールや多数の障害釘が設けられている。遊技領域２１の最下部であって第２始動口２５の下方には、アウト口３３が設けられており、上述した第１始動口２４、第２始動口２５、大入賞口２８、一般入球口の何れにも入球しなかった遊技球は、アウト口３３から遊技盤２０の裏面側に排出される。
【００３６】
第１始動口２４、第２始動口２５、大入賞口２８、一般入球口、アウト口３３から遊技盤２０の裏面側に排出された遊技球は、排出球計数器４９（図１３参照）にて計数される。排出球計数器４９には、１０個の遊技球が排出されると１回転する排出機構と、この排出機構が１回転したことを検知するアウト球検知センサーとが設けられており、アウト球検知センサーの検知によって排出球を１０個単位で検出することが可能である。
【００３７】
また、本実施例のパチンコ機１では、第１始動口２４、第２始動口２５、一般入球口の何れかに遊技球が入球した場合は、３個の遊技球が遊技者に払い出され、大入賞口２８に遊技球が入球した場合は、１３個の遊技球が遊技者に払い出される。払い出される遊技球が通過する通路には賞球検知センサー３５ｓ（図４参照）が設けられており、払い出された遊技球を検知可能である。
【００３８】
遊技盤２０における遊技領域２１の右下方には、ＬＥＤの組合せによって遊技に係る情報を表示するセグメント表示部５０が設けられている。セグメント表示部５０は、前面枠４に設けられた小窓部４ｃ（図１参照）を通して遊技者に視認される。尚、セグメント表示部５０の詳しい表示内容については、後述する遊技の進行態様において説明する。
【００３９】
Ｂ−３．制御回路の構成  ：
図４は、本実施例のパチンコ機１における制御回路の構成を示したブロック図である。図示されているようにパチンコ機１の制御回路は、多くの制御基板や、各種基板、中継端子板などから構成されている。詳しくは、遊技の基本的な進行に係る制御を司る主制御基板２００と、遊技の演出に係る制御を司るサブ制御基板２２０と、サブ制御基板２２０の制御下で画像の表示や音声の出力に係る制御を司る画像音声制御基板２３０と、サブ制御基板２２０の制御下でランプの発光に係る制御を司るランプ制御基板２２６と、遊技球の貸し出しや払い出しに係る制御を司る払出制御基板２４０と、遊技球の発射に係る制御を司る発射制御基板２６０などから構成されている。これら制御基板は、各種論理演算および算出演算を実行するＣＰＵ（図４におけるＣＰＵ２０１、２２１等）や、ＣＰＵで実行される各種プログラムやデータが記憶されているＲＯＭ（図４におけるＲＯＭ２０２、２２２等）、プログラムの実行に際してＣＰＵが一時的なデータを記憶するＲＡＭ（図４における２０３、２２３等）、入出力用回路など、種々の周辺ＬＳＩがバスで相互に接続されて構成されている。
【００４０】
主制御基板２００には、第１始動口２４へ入球した遊技球を検知する第１始動口センサー２４ｓや、第２始動口２５へ入球した遊技球を検知する第２始動口センサー２５ｓ、普通図柄作動ゲートを通過する遊技球を検知するゲートセンサー２７ｓ、大入賞口２８へ入球した遊技球を検知する大入賞口センサー２８ｓ、賞球検知センサー３５ｓなどが接続されている。主制御基板２００のＣＰＵ２０１は、第１始動口センサー２４ｓや、第２始動口センサー２５ｓ、ゲートセンサー２７ｓ、大入賞口センサー２８ｓ、賞球検知センサー３５ｓなどから遊技球の検知信号の入力があると、その検知信号の入力のあったセンサーに対応するコマンドを、サブ制御基板２２０や、払出制御基板２４０、発射制御基板２６０などに向けて送信する。
【００４１】
また、主制御基板２００には、第２始動口２５に設けられた開閉扉２６に開閉動作を行わせるための（第２始動口２５を開放状態、閉鎖状態にするための）始動口ソレノイド２６ｍや、大入賞口２８に設けられた開閉扉２９に開閉動作を行わせるための（大入賞口２８を開放状態、閉鎖状態にするための）大入賞口ソレノイド２９ｍなどが接続されている。主制御基板２００のＣＰＵ２０１は、始動口ソレノイド２６ｍ、大入賞口ソレノイド２９ｍ、セグメント表示部５０に向けて駆動信号を送信することにより、これらの動作の制御を行う。
【００４２】
サブ制御基板２２０には、画像音声制御基板２３０や、ランプ制御基板２２６、演出操作基板２２８が接続されている。サブ制御基板２２０のＣＰＵ２２１は、主制御基板２００からの各種コマンドを受信すると、コマンドの内容を解析して、その内容に応じた遊技演出を行う。すなわち、画像音声制御基板２３０に対しては、出力画像や出力音声を指定するコマンドを送信し、ランプ制御基板２２６に対しては、上部ランプ５ａ、右サイドランプ５ｂ、左サイドランプ５ｃ（以下「各種ランプ５ａ〜５ｃ」ともいう）の発光パターンを指定するコマンドを送信したりすることによって、遊技の演出を行う。
【００４３】
払出制御基板２４０には、上皿部７に設けられた球貸ボタン２４１（図２では図示省略）や、パチンコ機１に並設されたカードユニット６０、払出モーター２４３などが接続されている。球貸ボタン２４１が操作されると、この信号は、払出制御基板２４０を介してカードユニット６０に伝達される。カードユニット６０は、払出制御基板２４０とデータを通信しながら、払出モーター２４３を駆動して遊技球の貸し出しを行う。また、主制御基板２００から遊技球の払い出しを指示する払出コマンドを受信した場合も、払出モーター２４３を駆動して遊技球の払い出しを行う。
【００４４】
また、払出制御基板２４０には発射制御基板２６０が接続されており、発射制御基板２６０には、遊技球を発射させるための発射モーター２６２や遊技者が発射ハンドル９に触れていることを検知するタッチスイッチ２６３等を有する発射装置ユニット２６１が接続されている。発射制御基板２６０は、タッチスイッチ２６３を介して遊技者が発射ハンドル９に触れていることを検知すると、発射モーター２６２を駆動することによって、発射ハンドル９の回転角度に応じた強さで遊技球を発射する。
【００４５】
Ｂ−４．遊技の進行態様  ：
本実施例のパチンコ機１では、次のようにして遊技が進行する。上皿部７に遊技球が貯留された状態で発射ハンドル９が回転されると、上皿部７に貯留された遊技球が１球ずつ発射装置ユニット２６１に供給されて、図３を用いて前述した遊技領域２１に発射される。遊技球を打ち出す強さは発射ハンドル９の回転角度に対応するので、遊技者は発射ハンドル９の回転角度を変化させることによって、遊技者は所望する領域に遊技球を流下させることができる。例えば、中央装置４０（演出表示装置４１）の左方の領域を流下するように遊技球を発射させる左打ちを行ったり、中央装置４０（演出表示装置４１）の右方の領域を流下するように遊技球を発射させる右打ちを行ったりすることができる。
【００４６】
＜特別図柄の変動表示＞
上述した第１始動口２４には左打ちされた遊技球が入球可能となっている。左打ちされた遊技球が第１始動口２４に入球し、その入球した遊技球が第１始動口センサー２４ｓによって検知されると、所定の判定乱数（後述する大当り判定乱数、変動パターン選択乱数など）を取得し、該判定乱数に基づいて大当りであるか外れであるかを判定する大当り判定を行う。そして、この大当り判定の結果に基づいて、第１の特別図柄（以下「第１特図」ともいう）を変動表示させた後に停止表示させる。また、上述した第２始動口２５には右打ちされた遊技球が入球可能となっている。右打ちされた遊技球が第２始動口２５に入球し、その入球した遊技球が第２始動口センサー２５ｓによって検知されると、所定の判定乱数（後述する大当り判定乱数、変動パターン選択乱数など）を取得し、該判定乱数に基づいて大当りであるか外れであるかを判定する大当り判定を行う。そして、この大当り判定の結果に基づいて、第２の特別図柄（以下「第２特図」ともいう）を変動表示させた後に停止表示させる。ここで、第１特図、第２特図について説明する。
【００４７】
図５は、セグメント表示部５０を拡大して示す説明図である。前述したように、セグメント表示部５０は遊技盤２０における遊技領域２１の右下方に設けられており（図３参照）、遊技者は前面枠４の小窓部４ｃ（図２参照）を通してセグメント表示部５０を視認可能である。図５に示すように、セグメント表示部５０には、第１特図を表示する第１特図表示部５１と、第２特図を表示する第２特図表示部５２が設けられており、これらの表示部にはそれぞれ８個のＬＥＤが配置されている。第１特図および第２特図（以下、これらを特に区別をしない場合は、まとめて「特別図柄」という）は、それぞれの表示部において、８個のＬＥＤのうち点灯するＬＥＤを切り換えることによって変動表示され、８個のＬＥＤのうち所定のＬＥＤを点灯した状態とすることで停止表示される。本実施例のパチンコ機１では、第１特図として、大当り図柄１〜１００、外れ図柄１０１の１０１種類の図柄を停止表示可能であり、第２特図として、大当り図柄２０１〜３００、外れ図柄３０１の１０１種類の図柄を停止表示可能である。また、これらの図柄の種類は、点灯するＬＥＤの組合せの相違によって識別可能である。遊技球が第１始動口２４に入球することに基づく大当り判定（以下「第１特図についての大当り判定」ともいう）の結果が大当りである場合は、第１特図が大当り図柄１〜１００の何れかで停止表示され、第１特図についての大当り判定の結果が外れである場合は、第１特図が外れ図柄１０１で停止表示される。また、遊技球が第２始動口２５に入球することに基づく大当り判定（以下「第２特図についての大当り判定」ともいう）の結果が大当りである場合は、第２特図が大当り図柄２０１〜３００の何れかで停止表示され、第２特図についての大当り判定の結果が外れである場合は第２特図が外れ図柄３０１で停止表示される。こうして特別図柄（第１特図または第２特図）を大当り図柄または外れ図柄で停止表示したら、停止表示された図柄を確定させるべく、図柄が停止表示された状態を所定の時間が経過するまで維持する表示（以下「確定表示」ともいう）を行う。以下では、特別図柄が変動表示を開始してから、所定の変動時間の経過によって当該変動表示が終了して、特別図柄が大当り図柄または外れ図柄で確定表示されるまでの遊技、すなわち１回の変動表示の結果が得られるまでの遊技を「図柄変動遊技」と表現する。尚、図柄変動遊技が本発明の「識別情報変動遊技」に相当する。
【００４８】
第１特図または第２特図が何れかの大当り図柄で停止表示されると、大入賞口２８が開放状態となるラウンド遊技が複数回行われる大当り遊技を開始する。大当り遊技について詳しくは後述する。
【００４９】
＜特別図柄の保留＞
遊技球が第１始動口２４に入球すると、上述したように第１特図についての大当り判定や変動表示が行われるものの、これらの大当り判定や変動表示は、遊技球が第１始動口２４に入球後に直ぐに行われるのではなく、取得された判定乱数を第１特図保留として一旦記憶する。そして、所定の条件が成立したら、記憶した第１特図保留に基づいて大当り判定や第１特図の変動表示を行う。このような第１特図保留は４個を上限として記憶される。第１特図保留の記憶数（第１特図保留数）は、セグメント表示部５０の第１特図保留表示部５３に表示される。すなわち、図５に示すように、第１特図保留表示部５３には２個のＬＥＤが配置されており、この第１特図保留表示部５３では、２個のＬＥＤのうち１個のＬＥＤを点灯することで第１特図保留数が１個であることを示し、２個のＬＥＤを点灯することで第１特図保留数が２個であることを示し、１個のＬＥＤを点滅することで第１特図保留数が３個であることを示し、２個のＬＥＤを点滅することで第１特図保留数が４個であることを示す。
【００５０】
また、遊技球が第２始動口２５に入球すると、上述したように第２特図についての大当り判定や変動表示が行われるものの、これらの大当り判定や変動表示も、遊技球が第２始動口２５に入球後に直ぐに行われるのではなく、取得された判定乱数を第２特図保留として一旦記憶する。そして、所定の条件が成立したら、記憶した第２特図保留に基づいて大当り判定や第２特図の変動表示を行う。このような第２特図保留も４個を上限として記憶される。第２特図保留の記憶数（第２特図保留数）は、セグメント表示部５０の第２特図保留表示部５４に表示される。すなわち、図５に示すように、第２特図保留表示部５４にも２個のＬＥＤが配置されており、この第２特図保留表示部５４では、２個のＬＥＤのうち１個のＬＥＤを点灯することで第２特図保留数が１個であることを示し、２個のＬＥＤを点灯することで第２特図保留数が２個であることを示し、１個のＬＥＤを点滅することで第２特図保留数が３個であることを示し、２個のＬＥＤを点滅することで第２特図保留数が４個であることを示す。
【００５１】
尚、本実施例のパチンコ機１では、何れかの特別図柄の変動表示中や、何れかの特別図柄の確定表示中、大当り遊技中は、第１特図保留や第２特図保留が記憶されていても、これらの保留に係る大当り判定や変動表示は行わない。また、第１特図保留および第２特図保留のうち第１特図保留のみが記憶されている場合は、最先に記憶された第１特図保留に係る大当り判定および第１特図の変動表示を行うが、第２特図保留が記憶されている場合は第１特図保留が記憶されているか否かに拘わらず、最先に記憶された第２特図保留に係る大当り判定および第２特図の変動表示を行う。すなわち、第２特図を第１特図に優先して変動表示させる（いわゆる第２特図の優先変動機能を有する）。
【００５２】
＜特別図柄の変動パターン＞
本実施例のパチンコ機１では、予め記憶された変動パターン選択テーブルを参照して特別図柄の変動パターンが選択される。変動パターンとは、特別図柄（第１特図または第２特図）が変動表示を開始してから停止表示するまでの時間（変動時間）であり、各変動パターンには他の変動パターンと識別するための情報（変動パターンＩＤ）が付されている。また、変動パターン選択テーブルとは、複数の変動パターン（変動パターンＩＤ、変動時間）に上述した変動パターン選択乱数が割り振られたテーブルである。このような変動パターン選択テーブルを参照して、今回第１特図保留または第２特図保留として読み出した変動パターン選択乱数に対応する変動パターンを、今回の変動パターンとして決定する。
【００５３】
また、変動パターン選択テーブルは１種類でなく、特図の種類（第１特図であるか第２特図であるか）、大当りの判定結果（大当りであるか外れであるか）、第１特図保留数または第２特図保留数、遊技状態に応じて複数種類用意されている。そして、特別図柄の変動表示が開始されるタイミングで条件に応じた変動パターン選択テーブルが選択され、その変動パターン選択テーブルを参照して、変動パターン選択乱数に応じた変動時間が選択される。
【００５４】
＜大当り遊技＞
上述したように、第１特図または第２特図が何れかの大当り図柄で停止表示されると、大入賞口２８が開放状態となるラウンド遊技が複数回行われる大当り遊技を開始する。上述した大入賞口２８には右打ちされた遊技球が入球可能となっている。このため、大当り遊技中は右打ちが行われることとなる。
【００５５】
本実施例のパチンコ機１では、停止表示された大当り図柄の種類によって、１回の大当り遊技におけるラウンド遊技の回数が異なる。すなわち、第１特図が大当り図柄１〜５０で停止表示された場合は（第１特図が大当り図柄で停止表示される場合は５０％の確率で）、４回のラウンド遊技が行われる４ラウンド大当り遊技が行われ、第１特図が大当り図柄５１〜９０で停止表示された場合は（第１特図が大当り図柄で停止表示される場合は４０％の確率で）、８回のラウンド遊技が行われる８ラウンド大当り遊技が行われ、第１特図が大当り図柄９１〜１００で停止表示された場合は（第１特図が大当り図柄で停止表示される場合は１０％の確率で）、１６回のラウンド遊技が行われる１６ラウンド大当り遊技が行われる。また、第２特図が大当り図柄２０１〜２２５で停止表示された場合は（第２特図が大当り図柄で停止表示される場合は２５％の確率で）４ラウンド大当り遊技が行われ、第２特図が大当り図柄２２６〜２５０で停止表示された場合は（第２特図が大当り図柄で停止表示される場合は２５％の確率で）８ラウンド大当り遊技が行われ、第２特図が大当り図柄２５１〜３００で停止表示された場合は（第２特図が大当り図柄で停止表示される場合は５０％の確率で）１６ラウンド大当り遊技が行われる。
【００５６】
本実施例のパチンコ機１において、１回のラウンド遊技は、９個の遊技球が入球した場合（９カウント）または３０秒が経過した場合に終了するので、ほとんどの場合において１回のラウンド遊技では１１７個（９カウント×払出数１３個）の遊技球が払い出される。従って、当然ながら、ラウンド遊技回数の多い大当り遊技の方が、ラウンド遊技回数が少ない大当り遊技よりも遊技者に多くの遊技球が払い出されることとなる。このため、ラウンド遊技回数の比較的多い大当り遊技が行われることを遊技者に期待させることができる。尚、このことは、遊技者にとっての有利度合が互いに異なる複数の大当り遊技を実行可能であると捉えることができる。
【００５７】
上述した大当り遊技の実行中は、セグメント表示部５０のラウンド表示部５５に実行中の大当り遊技の種類（ラウンド遊技回数）が表示される。すなわち、図５に示すように、ラウンド表示部５５には３個のＬＥＤが配置されており、このラウンド表示部５５では、３個のＬＥＤのうち左のＬＥＤを点灯することで４ラウンド大当り遊技の実行中であることを示し、中のＬＥＤを点灯することで８ラウンド大当り遊技の実行中であることを示し、右のＬＥＤを点灯することで１６ラウンド大当り遊技の実行中であることを示す。
【００５８】
＜普通図柄の変動表示、普図当り遊技＞
上述した普通図柄作動ゲート２７は右打ちされた遊技球が通過可能となっている。右打ちされた遊技球が普通図柄作動ゲート２７を通過し、その遊技球がゲートセンサーによって検知されると、所定の判定乱数（後述する普図当り判定乱数）を取得し、該判定乱数に基づいて普図当りであるか外れであるかを判定する普図当り判定を行う。そして、この普図当り判定の結果に基づいて、普通図柄を変動表示させた後に停止表示させる。図５に示すように、セグメント表示部５０には、普通図柄を表示する普図表示部５６が設けられており、普図表示部５６には２個のＬＥＤが配置されている。普通図柄は、普図表示部５６において、２個のＬＥＤのうち点灯するＬＥＤを切り換えることによって変動表示され、２個のＬＥＤのうち所定のＬＥＤを点灯した状態とすることで停止表示される。本実施例のパチンコ機１では、普通図柄として、２個のＬＥＤのうち左のＬＥＤを点灯させた普図当り図柄と、右のＬＥＤを点灯させた普図外れ図柄の２種類の図柄を停止表示可能である。普図当り判定の結果が普図当りである場合は普通図柄が普図当り図柄で停止表示され、普図当り判定の結果が普図外れである場合は普通図柄が普図外れ図柄で停止表示される。こうして普通図柄を当り図柄または外れ図柄で停止表示したら、停止表示された図柄を確定させるべく、図柄が停止表示された状態を所定の時間が経過するまで維持する表示（確定表示）を行う。そして、普通図柄が普図当り図柄で停止表示された場合は、第２始動口２５が開放状態となった後に閉鎖状態となる普図当り遊技が行われる。
【００５９】
＜普通図柄の保留＞
遊技球が普通図柄作動ゲート２７を通過すると、普図当り判定や普通図柄の変動表示が行われるものの、これらの普図当り判定や変動表示は、遊技球が普通図柄作動ゲート２７を通過後に直ぐに行われるのではなく、取得された判定乱数を普図保留として一旦記憶する。そして、所定の条件が成立したら、記憶した普図保留に基づいて普図当り判定や普通図柄の変動表示を行う。このような普図保留も４個を上限として記憶される。普図保留の記憶数（普図保留数）は、セグメント表示部５０の普図保留表示部５７に表示される。すなわち、図５に示すように、普図保留表示部５７には２個のＬＥＤが配置されており、この普図保留表示部５７では、２個のＬＥＤのうち１個のＬＥＤを点灯することで普図保留数が１個であることを示し、２個のＬＥＤを点灯することで普図保留数が２個であることを示し、１個のＬＥＤを点滅することで普図保留数が３個であることを示し、２個のＬＥＤを点滅することで普図保留数が４個であることを示す。尚、本実施例のパチンコ機１では、普図保留が記憶されている場合において、普通図柄の変動表示中、普通図柄の確定表示中、普図当り遊技中の何れでもなければ、最先に記憶された普図保留に係る普図当り判定および普通図柄の変動表示を行う。
【００６０】
＜遊技状態＞
ここで、本実施例のパチンコ機１では、大当り判定において大当りと判定される確率に係る遊技状態と、第２始動口２５への遊技球の入球頻度に係る遊技状態とが適宜設定される。これらのうち大当り判定において大当りと判定される確率に係る遊技状態は、「大当り判定において大当りと判定される確率が低い（２９９．９分の１の確率である）低確率状態」または「大当り判定において大当りと判定される確率が高い（６０．０分の１の確率である）高確率状態」に設定される。また、第２始動口２５への遊技球の入球頻度に係る遊技状態は、「第２始動口２５への遊技球の入球頻度が低い非電サポ状態」または「第２始動口２５への遊技球の入球頻度が高い電サポ状態」に設定される。
【００６１】
本実施例のパチンコ機１では、低確率状態と非電サポ状態とが設定された状態（以下、「通常遊技状態」ともにいう。）から開始される。そして、大当り遊技終了後に高確率状態と電サポ状態とが設定される。高確率状態と電サポ状態とが設定されるとき、これらの遊技状態が設定された状態で実行可能な図柄変動遊技（特別図柄の変動表示）の回数（以下「高確回数」という）が９０回に設定される。その後、図柄変動遊技が実行されるごとに高確回数が１ずつ減算され、０になると低確率状態と非電サポ状態とが設定される。また、高確率状態と電サポ状態とが設定された状態で大当り遊技が開始された場合においても、大当り遊技終了後に高確回数が９０回に再設定される。
【００６２】
ここで、セグメント表示部５０には、上述した電サポ状態の設定中であることを示す電サポ表示部５８が設けられている。すなわち、図５に示すように、電サポ表示部５８には、３個のＬＥＤが配置されており、電サポ状態の設定中は、この３個のＬＥＤを点灯することによって電サポ状態の設定中であることを示す。また、図５に示すように、セグメント表示部５０には、右打ちを行うことを示す右打ち表示部５９が設けられている。電サポ状態の設定中は第２始動口２５への遊技球の入球頻度が高く、且つ、第２始動口２５は右打ちされた遊技球が入球可能であるので、電サポ状態の設定中は右打ちを行うことが遊技者にとって有益である。また、大入賞口２８も右打ちされた遊技球が入球可能であるので、大当り遊技中も右打ちを行うことが遊技者にとって有益である。そこで、電サポ状態の設定中および大当り遊技中は、右打ち表示部５９に配置された２個のＬＥＤを点灯することによって右打ちを行うことを示す。
【００６３】
＜演出表示装置４１の表示内容＞
本実施例のパチンコ機１では、上述したような遊技の進行に合わせて、演出表示装置４１に種々の画像を表示する演出を行う。例えば、演出表示装置４１では、第１特図または第２特図の変動表示（図柄変動遊技）に合わせた各種の演出（以下「図柄変動演出」という）が行われる。すなわち、第１特図表示部５１または第２特図表示部５２にて特別図柄（第１特図または第２特図）の変動表示（図柄変動遊技）の開始タイミングと同期して、演出表示装置４１においても３つの識別図柄４１ａ，４１ｂ，４１ｃの変動表示を一斉に開始し、その後、特別図柄の変動時間が経過するまで種々の態様で変動表示を行う。そして、特別図柄の変動表示の終了タイミング（特別図柄の停止表示）と同期して３つの識別図柄４１ａ，４１ｂ，４１ｃの変動表示を終了する。本実施例のパチンコ機１では、識別図柄として「１」〜「９」までの９つの数字を意匠化した図柄を表示可能である。
【００６４】
図６（ａ）には、３つの識別図柄４１ａ，４１ｂ，４１ｃが一斉に変動表示している様子が概念的に示されている。変動表示が開始された後、所定時間が経過すると、初めに左識別図柄４１ａが「１」〜「９」のいずれかの図柄で停止表示され、次に、右識別図柄４１ｃが停止表示され、最後に中識別図柄４１ｂが停止表示される。これら演出表示装置４１で停止表示される３つの識別図柄４１ａ，４１ｂ，４１ｃの組合せは、前述した第１特図表示部５１または第２特図表示部５２で停止表示される特別図柄（第１特図または第２特図）と対応するように構成されている。例えば、第１特図または第２特図が大当り図柄で停止表示される場合は、演出表示装置４１の３つの識別図柄４１ａ，４１ｂ，４１ｃが同じ図柄となる図柄組合せ（以下「ゾロ目」ともいう）で停止表示される。また、第１特図または第２特図が「外れ図柄」で停止表示される場合は、３つの識別図柄４１ａ，４１ｂ，４１ｃは同じ図柄で揃わない図柄組合せ（以下「バラケ目」ともいう）で停止表示される。尚、停止表示された識別図柄４１ａ、４１ｂ、４１ｃは、特別図柄の確定表示時間が経過するまで停止表示された状態となる（確定表示される）。
【００６５】
このように、第１特図表示部５１または第２特図表示部５２で表示される特別図柄と、演出表示装置４１で表示される３つの識別図柄４１ａ，４１ｂ，４１ｃとは、表示内容が互いに対応しており、変動表示中の特別図柄が停止表示する際には、３つの識別図柄４１ａ，４１ｂ，４１ｃも停止表示するようになっている。しかも、図３に示すように、演出表示装置４１は、第１特図表示部５１または第２特図表示部５２（セグメント表示部５０）よりも目に付き易い位置に設けられており、表示画面も大きく、表示内容も分かり易いので、遊技者は演出表示装置４１の画面を見ながら遊技を行うことが通常である。従って、図６（ｂ）に示すように、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り遊技が開始されるのではないか」と、遊技者は識別図柄の変動表示（図柄変動演出）を注視することになる。このように、２つの識別図柄を同じ図柄（ゾロ目となり得る態様）で停止させて最後の識別図柄を変動表示させた状態で行われる演出は「リーチ演出」と呼ばれており、このリーチ演出を発生させることで遊技興趣を高めることが可能である。
【００６６】
また、演出表示装置４１の表示画面上の下部には、第１特図保留数を示すための第１保留表示領域４１ｄと、第２特図保留数を示すための第２保留表示領域４１ｅとが設定されている。本実施例のパチンコ機１では、第１保留表示領域４１ｄに第１特図保留数と同数の「保留図柄（図中、小さい円形の図柄）」を表示することで第１特図保留数を示し、第２保留表示領域４１ｅに第２特図保留数と同数の「保留図柄」を表示することで第２特図保留数を示す。従って、図６に示す例では、第１特図保留数および第２特図保留数が共に４個であることが示されている。尚、当然ながら、演出表示装置４１の表示画面上に表示された保留図柄によって示される保留数と、セグメント表示部５０の第１特図保留表示部５３および第２特図保留表示部５４にて示される保留数とは一致する。
【００６７】
Ｂ−５．遊技制御処理  ：
図７は、主制御基板２００のＣＰＵ２０１が、遊技の進行に係る制御として行う遊技制御処理の大まかな流れを示したフローチャートである。遊技制御処理は、主制御基板２００のＣＰＵ２０１によって、所定周期毎（例えば４ｍｓｅｃ毎）に発生するタイマ割り込みに基づき行われる。以下、フローチャートに従って、主制御基板２００のＣＰＵ２０１が行う遊技進行制御処理について説明する。尚、以下の説明では、ＣＰＵ２０１の初期化処理や、割り込み禁止処理、割り込み許可処理などの周知の処理については、その説明を省略している。
【００６８】
＜出力処理＞
図７に示すように、主制御基板２００のＣＰＵ２０１は遊技制御処理を開始すると先ず、出力処理（Ｓ１００）を行う。本実施例のパチンコ機１では、各種処理において、サブ制御基板２２０を初めとする各種制御基板に向けて送信する各種コマンドをＲＡＭ２０３に確保された出力バッファに記憶する。出力処理（Ｓ１００）では、このように出力バッファに記憶された各種コマンドを各種制御基板に向けて送信する。こうすることにより、例えば、サブ制御基板２２０では、遊技の進行に合わせた演出の制御が行われることになり、払出制御基板２４０では、払出モーター２４３を駆動して遊技球の払い出しが行われることとなる。
【００６９】
＜入力処理＞
主制御基板２００のＣＰＵ２０１は、続いて、入力処理（Ｓ２００）を行う。本実施例のパチンコ機１では上述したように、第１始動口２４、第２始動口２５、一般入球口の何れかに遊技球が入球した場合は３個の遊技球が払い出され、大入賞口２８に遊技球が入球した場合は１３個の遊技球が払い出される。そこで、入力処理（Ｓ２００）では、これらの入球を検知するセンサー類（第１始動口センサー２４ｓや、第２始動口センサー２５ｓ、大入賞口センサー２８ｓ等）について、遊技球を検知したか否かを判断する。その結果、遊技球を検知している場合は、払い出す遊技球の数を示す払出コマンドを上述した出力バッファに記憶する。こうして出力バッファに記憶された払出コマンドは次回の出力処理（Ｓ１００）で払出制御基板２４０に向けて送信される。
【００７０】
＜乱数更新処理＞
主制御基板２００のＣＰＵ２０１は、続いて、乱数更新処理（Ｓ３００）を行う。本実施例のパチンコ機１では上述したように、大当り判定や普図当り判定は所定の判定乱数に基づいて行われる。詳しくは、大当り判定は「大当り判定乱数」に基づいて行われ、普図当り判定は「普図当り判定乱数」に基づいて行われる。また、本実施例のパチンコ機１における特別図柄の変動表示は変動パターンに基づいて行われるが、この変動パターンは「変動パターン選択乱数」に基づいて選択される。また、本実施例のパチンコ機１では、大当り判定結果が大当りである場合は、１００種類の大当り図柄のうち何れかの大当り図柄が停止表示され、大当り判定結果が小当りである場合は、１００種類の小当り図柄のうち何れかの小当り図柄が停止表示されるが、この大当り図柄または小当り図柄の種類は「図柄選択乱数」に基づいて選択される。乱数更新処理（Ｓ３００）では、これらの乱数を更新する。尚、これらの乱数の更新は、乱数更新処理（Ｓ３００）においてだけでなく、遊技制御処理を終了してから次の遊技制御処理を開始する（次のタイマ割り込み）までの期間にも行うこととしてもよい。また、乱数更新の専用回路を設けて、この専用回路で乱数を更新することとしてもよい。
【００７１】
＜ゲートセンサー検出処理＞
主制御基板２００のＣＰＵ２０１は、続いて、ゲートセンサー検出処理（Ｓ４００）を行う。このゲートセンサー検出処理（Ｓ４００）では、普図保留を記憶する処理が行われる。すなわち、主制御基板２００のＣＰＵ２０１は先ず、ゲートセンサー２７ｓの検知結果に基づいて、遊技球が普通図柄作動ゲート２７を通過したか否かを判断する。その結果、遊技球が普通図柄作動ゲート２７を通過した場合は、普図保留数が上限値である４個に達しているか否かを判断する。そして、普図保留数が４個に達していなければ、普図当り判定乱数を取得すると共に該普図当り判定乱数を普図保留として記憶する。普図保留は、記憶した順序を識別できるように、ＲＡＭ２０３に確保された普図保留記憶領域に記憶される。尚、遊技球が普通図柄作動ゲート２７を通過していなかった場合や、普図保留数が既に４個に達していた場合は、新たな普図保留は記憶しない。
【００７２】
＜始動口等センサー検出処理＞
主制御基板２００のＣＰＵ２０１は、続いて、始動口等センサー検出処理（Ｓ４５０）を行う。始動口等センサー検出処理（Ｓ４５０）では、先ず第１始動口センサー２４ｓの検知結果に基づいて、遊技球が第１始動口２４に入球したか否かを判断する。その結果、遊技球が第１始動口２４に入球した場合は、第１特図保留数が上限値である４個に達しているか否かを判断する。そして、第１特図保留数が４個に達していなければ、大当り判定乱数、変動パターン選択乱数、図柄選択乱数を取得すると共にこれらの乱数を第１特図保留として記憶する。第１特図保留は、記憶した順序を識別できるように、ＲＡＭ２０３に確保された第１特図保留記憶領域に記憶される。
【００７３】
こうして第１特図保留の記憶に係る処理を行ったら、続いて、第２始動口センサー２５ｓの検知結果に基づいて、遊技球が第２始動口２５に入球したか否かを判断する。その結果、遊技球が第２始動口２５に入球した場合は、第２特図保留数が上限値である４個に達しているか否かを判断する。そして、第２特図保留数が４個に達していなければ、大当り判定乱数、変動パターン選択乱数、図柄選択乱数を取得すると共にこれらの乱数を第２特図保留として記憶する。第２特図保留は、記憶した順序を識別できるように、ＲＡＭ２０３に確保された第２特図保留記憶領域に記憶される。
【００７４】
＜普通動作処理＞
主制御基板２００のＣＰＵ２０１は、続いて、普通動作処理（Ｓ５００）を行う。この普通動作処理（Ｓ５００）では、普通図柄を変動表示させたり、普図当り遊技を実行したりする処理が行われる。すなわち、主制御基板２００のＣＰＵ２０１は先ず、普図当り遊技中、普通図柄の変動表示中、普通図柄の確定表示中の何れかであるか否かを判断する。その結果、普図当り遊技中、普通図柄の変動表示中、普通図柄の確定表示中の何れでもない場合は、上述の普図保留記憶領域に普図保留が記憶されているか否かを判断する。その結果、普図保留記憶領域に普図保留が記憶されている場合は、記憶されている普図保留のうち最先に記憶された普図保留を読み出す。そして、読み出した普図保留、すなわち、普図当り判定乱数に基づいて普図当り判定を行う。
【００７５】
普図当り判定を行ったら、該普図当り判定の結果が普図当りであるか否かを判断する。その結果、普図当り判定の結果が普図当りである場合は、今回の普通図柄の変動表示にて停止表示する図柄（停止図柄）として普図当り図柄を記憶する。すなわち、今回の普通図柄の変動表示の結果として普図表示部５６の左のＬＥＤ（図５参照）を点灯させることを記憶する。これに対して、普図当り判定の結果が普図外れである場合は、今回の普通図柄の変動表示にて停止表示する図柄（停止図柄）として普図外れ図柄を記憶する。すなわち、今回の普通図柄の変動表示の結果として普図表示部５６の右のＬＥＤ（図５参照）を点灯させることを記憶する。
【００７６】
こうして、今回の普通図柄の変動表示の結果として普図表示部５６の左のＬＥＤを点灯させること、あるいは、普図表示部５６の右のＬＥＤを点灯させることを記憶したら、普通図柄の変動時間を設定して、普通図柄の変動表示を開始する。そして、今回の普図当り判定の対象となった普図保留を普図保留記憶領域から消去する。
【００７７】
以上は、普図当り遊技中、普通図柄の変動表示中、普通図柄の確定表示中の何れでもない場合の処理について説明した。これに対して、普通図柄の変動表示中である場合は、変動表示中の普通図柄の変動時間が経過したか否かを判断する。その結果、変動時間が経過したと判断された場合は、変動表示中の普通図柄を予め記憶しておいた態様で停止表示する。すなわち、普図当り判定の結果が普図当りであった場合は普図表示部５６の左のＬＥＤを点灯した状態とし（普図当り図柄を停止表示し）、普図当り判定の結果が外れであった場合は普図表示部５６の右のＬＥＤを点灯した状態した状態とする（外れ図柄を停止表示する）。このように普通図柄が停止表示されたら、普通図柄の確定表示が開始されるので、普通図柄の確定表示時間を設定する。
【００７８】
以上は、普通図柄の変動表示中である場合の処理について説明した。これに対して、普通図柄の確定表示中である場合は、確定表示時間が経過したか否かを判断する。その結果、確定表示時間が経過した場合は、今回停止表示（確定表示）された普通図柄が普図当り図柄（普図表示部５６の左のＬＥＤの点灯）であるか否かを判断する。その結果、停止表示された普通図柄が普図当り図柄であった場合は、普図当り遊技における第２始動口２５の開放パターン（開放回数、開放時間、閉鎖時間など）を設定した後、普図当り遊技を開始する。
【００７９】
以上は、普通図柄の確定表示中である場合の処理について説明した。これに対して、普図当り遊技中である場合は、上述の開放パターンで第２始動口２５が開放状態・閉鎖状態となるように、始動口ソレノイド２６ｍを制御して開閉扉２６を動作させる。そして、この開放パターンに従う制御が終了したら普図当り遊技を終了する。
【００８０】
ここで、本実施例のパチンコ機１では、上述したように、第２始動口２５への遊技球の入球頻度に係る遊技状態が「第２始動口２５への遊技球の入球頻度が低い非電サポ状態」または「第２始動口２５への遊技球の入球頻度が高い電サポ状態」に設定される。このような非電サポ状態および電サポ状態の設定は次のように実現される。
【００８１】
すなわち、電サポ状態は非電サポ状態と比較して、普図当り判定の結果が普図当りとなる確率（普図当り確率）が高く、普通図柄の変動時間（普図変動時間）が短く、普図当り遊技における第２始動口２５の開放時間が長く設定される。従って、電サポ状態は非電サポ状態と比較して、第２始動口２５が高頻度で開放状態になるとともに該開放状態にある期間が長くなるので、第２始動口２５への遊技球の入球頻度が高くなる（高頻度状態）。例えば、非電サポ状態が設定されている場合は、普図当り確率を１００分の１の確率に設定し（普図保留として取得可能な普図当り判定乱数のうち１００分の１の乱数を普図当りとし）、普図変動時間を２０秒に設定し、普図当り遊技における第２始動口２５の開放時間を０．３秒（０．１秒×３回開放）に設定する。これに対して、電サポ状態が設定されている場合は、普図当り確率を１００分の９９の確率に設定し（普図保留として取得可能な普図当り判定乱数のうち１００分の９９の乱数を普図当りとし）、普図変動時間を１秒に設定し、普図当り遊技における第２始動口２５の開放時間を４．５秒（１．５秒×３回開放）に設定する。
【００８２】
＜特別動作処理＞
主制御基板２００のＣＰＵ２０１は、続いて、特別動作処理（Ｓ６００）を行う。この特別動作処理（Ｓ６００）では、特別図柄（第１特図または第２特図）を変動表示させたり、大当り遊技を実行したりする処理が行われる。特別動作処理（Ｓ６００）については、後ほど詳しく説明する。
【００８３】
＜保留数処理＞
主制御基板２００のＣＰＵ２０１は、続いて、保留数処理（Ｓ１１００）を行う。この保留数処理（Ｓ１１００）では、第１特図保留記憶領域に記憶されている第１特図保留の数、および、第２特図保留記憶領域に記憶されている第２特図保留の数を読み出して、これらの数を示す保留数伝達コマンドをＲＡＭ２０３の出力バッファに記憶する。こうして出力バッファに記憶された保留数伝達コマンドも次回の出力処理（Ｓ１００）でサブ制御基板２２０に向けて送信される。こうすることによって、サブ制御基板２２０は、第１特図保留の数や第２特図保留の数に対応する保留図柄を演出表示装置４１に表示する等、これらの数に基づいて種々の演出を実行することが可能となる。
【００８４】
＜特別動作処理＞
特別動作処理（Ｓ６００）では、図７を用いて上述したように特別図柄（第１特図または第２特図）を変動表示させたり、大当り遊技を実行したりする処理が行われる。図８は、特別動作処理（Ｓ６００）のフローチャートである。特別動作処理（Ｓ６００）では、特別図柄の状態を示す特別動作ステータスによって異なる処理が行われるため、先ず特別動作ステータスがいくつであるかが判断される（Ｓ６０１）。特別動作ステータスの初期値は１となっており、この場合には（Ｓ６０１：１）、特別図柄の変動表示を開始させる特別図柄待機処理（Ｓ７００）が行われ、その後、本特別動作処理（Ｓ６００）が終了する。
【００８５】
特別図柄待機処理（Ｓ７００）において、特別図柄の変動表示が開始された場合には、特別動作ステータスが２に更新される。特別動作ステータスが２である場合には（Ｓ６０１：２）、特別図柄を停止表示させる変動中処理（Ｓ８００）が行われ、その後、本特別動作処理（Ｓ６００）が終了する。
【００８６】
変動中処理（Ｓ８００）において、特別図柄が停止表示されると、特別動作ステータスが３に更新される。特別動作ステータスが３である場合には（Ｓ６０１：３）、特別図柄を確定表示させる特別図柄確定処理（Ｓ９００）が行われ、その後、本特別動作処理（Ｓ６００）が終了する。
【００８７】
特別図柄確定処理（Ｓ９００）において、大当り図柄が確定表示された場合には、確定表示の終了後に特別動作ステータスが４に更新される。特別動作ステータスが４である場合には（Ｓ６０１：４）、大当り遊技に応じた大入賞口２８の開閉動作を行う特別電動役物処理（Ｓ１０００）が行われ、その後、本特別動作処理（Ｓ６００）を終了する。尚、特別図柄確定処理（Ｓ９００）において、外れ図柄が確定表示された場合には、確定表示の終了後に特別動作ステータスが１に更新される。
【００８８】
＜特別図柄待機処理＞
特別図柄待機処理（Ｓ７００）では、図８を用いて上述したように特別図柄の変動表示を開始させる処理が行われる。図９は、特別図柄待機処理（Ｓ７００）のフローチャートである。上述したように、本実施例のパチンコ機１では、第１特図保留よりも第２特図保留が優先的に消化される。このため、図９に示すように、特別図柄待機処理（Ｓ７００）では、先ず第２特図保留があるか否かを判定する（Ｓ７０１）。第２特図保留がある場合には（Ｓ７０１：ｙｅｓ）、第２特図大当り判定処理（Ｓ７０２）が行われる。第２特図大当り判定処理（Ｓ７０２）では、最先に記憶された第２特図保留の大当り判定乱数（大当り判定乱数、図柄選択乱数、変動パターン選択乱数）を読み出す。そして、読み出した第２特図保留に含まれる大当り判定乱数に基づいて大当り判定を行う。
【００８９】
第２特図保留がない場合には（Ｓ７０１：ｎｏ）、第１特図保留があるか否かを判断する（Ｓ７０３）。第１特図保留がある場合には（Ｓ７０３：ｙｅｓ）、第１特図大当り判定処理（Ｓ７０４）が行われる。第１特図大当り判定処理（Ｓ７０４）では、最先に記憶された第１特図保留の大当り判定乱数（大当り判定乱数、図柄選択乱数、変動パターン選択乱数）を読み出す。そして、読み出した第１特図保留に含まれる大当り判定乱数に基づいて大当り判定を行う。尚、第１特図保留もない場合には（Ｓ７０３：ｎｏ）、本特別図柄待機処理（Ｓ７００）を終了する。
【００９０】
ここで、本実施例のパチンコ機１では、前述したように、大当り判定において大当りと判定される確率に係る遊技状態は「大当り判定において大当りと判定される確率が低い（２９９．９分の１の確率である）低確率状態」または「大当り判定において大当りと判定される確率が高い（６９．９分の１の確率である）高確率状態」に設定される。このような低確率状態あるいは高確率状態の設定は次のように実現される。すなわち、低確率状態が設定されている場合は、第１特図保留または第２特図保留として取得可能な大当り判定乱数のうち２９９．９分の１の乱数を大当りとし、高確率状態が設定されている場合は、第１特図保留または第２特図保留として取得可能な大当り判定乱数のうち６９．９分の１の乱数を大当りとする。
【００９１】
第２特図大当り判定処理（Ｓ７０２）または第１特図大当り判定処理（Ｓ７０４）が終了すると、大当り判定の結果（図柄選択乱数）に基づいて、今回の特別図柄の変動表示（図柄変動遊技）にて停止表示する図柄の種類が選択される（Ｓ７０５）。例えば、大当り判定の結果が大当りであった場合には、今回読み出した第１特図保留または第２特図保留に含まれる図柄選択乱数に基づいて、今回の特別図柄の変動表示（図柄変動遊技）にて停止表示する大当り図柄の種類を選択する。すなわち、上述したように本実施例のパチンコ機１では、第１特図としては大当り図柄１〜１００が停止表示可能であり、第２特図としては大当り図柄２０１〜３００が停止表示可能である。そこで、第１特図保留を読み出した場合は、大当り図柄１〜１００に図柄選択乱数が割り振られた図柄選択テーブル（図示省略）を参照して、第１特図保留として読み出した図柄選択乱数に対応する大当り図柄を、停止表示する図柄として選択する。また、第２特図保留を読み出した場合は、大当り図柄２０１〜３００に図柄選択乱数が割り振られた図柄選択テーブルを参照して、第２特図保留として読み出した図柄選択乱数に対応する大当り図柄を、停止表示する図柄として選択する。尚、図柄選択テーブルは、主制御基板２００のＲＯＭ２０２に予め記憶されている。
【００９２】
大当り判定の結果が外れである場合においては、第１特図保留を読み出した場合は外れ図柄１０１を停止表示する図柄として選択し、第２特図保留を読み出した場合は外れ図柄３０１を停止表示する図柄として選択する。尚、停止表示する図柄として選択された大当り図柄、小当り図柄、および外れ図柄は、ＲＡＭ２０３に確保された停止図柄記憶領域に記憶される。
【００９３】
停止表示する図柄が選択されると、続いて特別図柄の変動表示（図柄変動遊技）の変動パターンが選択される（Ｓ７０６）。変動パターンとは、特別図柄（第１特図または第２特図）が変動表示を開始してから停止表示するまでの時間（変動時間）であり、各変動パターンには他の変動パターンと識別するための情報（変動パターンＩＤ）が付されている。変動パターンを選択する処理では変動パターン選択テーブル（図示省略）を参照する。変動パターン選択テーブルとは、複数の変動パターン（変動パターンＩＤ、変動時間）に変動パターン選択乱数が割り振られたテーブルである。変動パターンを選択する処理では、このような変動パターン選択テーブルにおいて、今回第１特図保留または第２特図保留として読み出した変動パターン選択乱数に対応する変動パターンを、今回の変動パターンとして決定する。従って、各変動パターンが選択される確率は、取得可能な変動パターン選択乱数のうち各変動パターンに割り振られた乱数の割合によって決定される。
【００９４】
また、参照する変動パターン選択テーブルは、大当り判定の結果のみによって決定されるのではなく、特別図柄の種類（第１特図または第２特図）や、現在設定されている遊技状態、大当り判定の結果、記憶されている第１特図保留および第２特図保留の数などの種々の遊技進行状況に対応する変動パターン選択テーブルが選択される。こうすることで、種々の遊技進行状況に対応する変動パターンを選択可能となり、ひいては、サブ制御基板２２０のＣＰＵ２２１は種々の遊技進行状況に対応する演出パターンで図柄変動演出を実行可能となる。
【００９５】
変動パターンを選択した後は、今回の大当り判定の対象となった第１特図保留または第２特図保留を、第１特図保留記憶領域または第２特図保留記憶領域から消去してから（Ｓ７０７）、特別図柄の変動表示（図柄変動遊技）が開始される（Ｓ７０８）。そして、次回の特別動作処理（図８のＳ６００）で変動中処理（図８のＳ８００）が行われるように、特別動作ステータスを２に更新してから（Ｓ７０９）、本特別図柄待機処理（Ｓ７００）を終了する。
【００９６】
＜変動中処理＞
特別図柄の変動表示が開始されると、図８を用いて上述した変動中処理（Ｓ８００）が行われる。図１０は変動中処理（Ｓ８００）のフローチャートである。変動中処理（Ｓ８００）では、変動終了タイミングとなったか否かを判断する（Ｓ８０１）。すなわち、特別図柄の変動表示が開始されてからの時間が、上記特別図柄待機処理（図９のＳ７００）で選択された変動時間に達したか否かを判断する。変動終了タイミングとなっていない場合には（Ｓ８０１：ｎｏ）、特別図柄の変動表示を継続させるため、そのまま本変動中処理（Ｓ８００）を終了する。一方、変動終了タイミングとなった場合には（Ｓ８０１：ｙｅｓ）、上記特別図柄待機処理（図９のＳ７００）で選択された図柄が停止表示される（Ｓ８０２）。例えば、大当り判定の結果が大当りであった場合には上記特別図柄待機処理（図９のＳ７００）で選択された大当り図柄を停止表示し、大当り判定の結果が外れであった場合には上記特別図柄待機処理（図９のＳ７００）で選択された外れ図柄を停止表示する。そして、図柄の確定表示を開始させ（Ｓ８０３）、特別図柄を確定表示させる確定表示時間を設定する。その後、次回の特別動作処理（図９のＳ６００）で特別図柄確定処理（図８のＳ９００）が行われるように、特別動作ステータスを３に更新してから（Ｓ８０４）、本変動中処理（Ｓ８００）を終了する。
【００９７】
＜特別図柄確定処理＞
特別動作ステータスが３に更新されると、図８を用いて上述したように特別図柄の確定表示を行う特別図柄確定処理（Ｓ９００）が行われる。図１１は、特別図柄確定処理のフローチャートである。特別図柄確定処理（Ｓ９００）では、変動中処理（Ｓ８００）で設定された確定表示時間が経過したか否かを判定する（Ｓ９０１）。その結果、確定表示時間が経過していない場合には（Ｓ９０１：ｎｏ）、確定表示を継続させるためにそのまま本特別図柄確定処理（Ｓ９００）を終了する。確定表示時間が経過すると（Ｓ９０１：ｙｅｓ）、停止表示（確定表示）された図柄が大当り図柄であるか否かが判断され（Ｓ９０２）、大当り図柄である場合には（Ｓ９０２：ｙｅｓ）、大当り遊技開始に向けた処理が行われる（Ｓ９０３）。例えば、大当り遊技における大入賞口２８の開放パターン（開放回数、開放時間、閉鎖時間など）が設定される。その後、大当り信号の出力開始設定が行われる（Ｓ９０４）。大当り信号の出力開始設定（Ｓ９０４）では、大当り信号の出力を開始するための情報がＲＡＭ２０３の出力バッファに記憶され、次回の出力処理（図７のＳ１００）で、データ表示機７０に向けて大当り信号の出力が開始される。大当り信号の出力開始設定（Ｓ９０４）が終了すると、高確率状態であるか否かを判定し（Ｓ９０５）、高確率状態である場合には（Ｓ９０５：ｙｅｓ）、確変信号の出力を停止すべく、確変信号の出力停止設定を行う（Ｓ９０６）。確変信号の出力停止設定（Ｓ９０６）では、出力中の確変信号を停止させるための情報がＲＡＭ２０３の出力バッファに記憶され、次回の出力処理（図７のＳ１００）で、確変信号の出力が停止される。確変信号の出力停止設定（Ｓ９０６）が終了した後、または低確率状態である場合には（Ｓ９０５：ｎｏ）、次回の特別動作処理（図８のＳ６００）で特別電動役物処理（Ｓ１０００）が行われるように、特別動作ステータスを４に更新する（Ｓ９０７）。その後、図柄確定信号の出力設定が行われる（Ｓ９０８）。図柄確定信号の出力設定（Ｓ９０８）では、図柄確定信号の出力するための情報がＲＡＭ２０３の出力バッファに記憶され、次回の出力処理（図７のＳ１００）で、データ表示機７０に向けて図柄確定信号が出力される。図柄確定信号の出力設定（Ｓ９０８）が終了した後、本特別図柄確定処理（Ｓ９００）を終了する。
【００９８】
一方、停止表示（確定表示）された図柄が外れ図柄である場合には（Ｓ９０２：ｎｏ）、高確率状態であるか否かを判定する（Ｓ９０９）。高確率状態である場合には（Ｓ９０９：ｙｅｓ）、高確率状態の終了条件が成立したか否かを判定する（Ｓ９１０）。すなわち、図柄変動遊技が実行される毎に高確率状態の残り実行回数を示す高確回数カウンタの値を１減算し、高確回数カウンタの値が０となった場合に高確率状態の終了条件が成立したと判定する。高確率状態の終了条件が成立した場合には（Ｓ９１０：ｙｅｓ）、確変信号の出力を停止すべく、確変信号の出力停止設定を行う（Ｓ９１１）。確変信号の出力停止設定（Ｓ９１１）では、出力中の確変信号を停止させるための情報がＲＡＭ２０３の出力バッファに記憶され、次回の出力処理（図７のＳ１００）で、確変信号の出力が停止される。確変信号の出力停止設定（Ｓ９１１）が終了した後は、通常遊技状態を設定する（Ｓ９１２）。その後、または高確率状態でない場合（Ｓ９０９：ｎｏ）、若しくは高確率状態の終了条件が成立していない場合（Ｓ９１０：ｎｏ）には、図柄変動遊技の待機状態に戻すために特別動作ステータスを１に更新してから（Ｓ９１３）、上述した図柄確定信号の出力設定が行われる（Ｓ９０８）。その後、本特別図柄確定処理（Ｓ９００）を終了する。
【００９９】
＜特別電動役物処理＞
特別動作ステータスが４に更新されると、図８を用いて上述したように大当り遊技に伴って大入賞口２８の開閉動作を行う特別電動役物処理（Ｓ１０００）が行われる。図１２は特別電動役物処理（Ｓ１０００）のフローチャートである。特別電動役物処理（Ｓ１０００）では、先ず上述したラウンド遊技の開始条件（以下、「ラウンド開始条件」ともいう）が成立したか否かを判定する（Ｓ１００１）。本実施例では、１回目のラウンド遊技については、大当り遊技が開始されたことがラウンド開始条件となっており、２回目以降のラウンド遊技については、直前のラウンド遊技が終了してから所定のインターバル時間が経過したことがラウンド開始条件となっている。このラウンド開始条件が成立した場合には（Ｓ１００１：ｙｅｓ）、ラウンド遊技が開始となるため、大入賞口２８を開放する（Ｓ１００２）。
【０１００】
その後、またはラウンド開始条件が成立していない場合には（Ｓ１００１：ｎｏ）、ラウンド遊技の終了条件（以下、「ラウンド終了条件」ともいう）が成立したか否かを判定する（Ｓ１００３）。ラウンド終了条件は、上述したように、大入賞口２８に９個の遊技球が入球したこと（９カウント）または３０秒が経過したこととなっている。ラウンド終了条件が成立していない場合には（Ｓ１００３：ｎｏ）、そのまま本特別電動役物処理（Ｓ１０００）を終了する。一方、ラウンド終了条件が成立した場合には（Ｓ１００３：ｙｅｓ）、ラウンド遊技が終了となるため、大入賞口２８を閉鎖して（Ｓ１００４）、ラウンド遊技の残り実行回数を示すラウンドカウンタの値を１減算する（Ｓ１００５）。そして、ラウンドカウンタの値が０になったか否かを判定する（Ｓ１００６）。ラウンドカウンタの値が０でない場合には（Ｓ１００６：ｎｏ）、大当り遊技を継続させるため、そのまま本特別電動役物処理（Ｓ１０００）を終了する。
【０１０１】
ラウンドカウンタの値が０である場合には（Ｓ１００６：ｙｅｓ）、大当り遊技が終了となるため、出力中の大当り信号を停止させるべく、大当り信号の出力停止設定が行われる（Ｓ１００７）。大当り信号の出力停止設定（Ｓ１００７）では、大当り信号の出力を停止するための情報がＲＡＭ２０３の出力バッファに記憶され、次回の出力処理（図７のＳ１００）で、大当り信号の出力が停止される。大当り信号の出力停止設定（Ｓ１００７）が終了すると、高確率状態かつ電サポ状態を設定し（Ｓ１００８）、確変信号の出力開始設定が行われる（Ｓ１００９）。確変信号の出力開始設定（Ｓ１００９）では、確変信号の出力を開始するための情報がＲＡＭ２０３の出力バッファに記憶され、次回の出力処理（図７のＳ１００）で、データ表示機７０に向けて確変信号の出力が開始される。確変信号の出力開始設定（Ｓ１００９）が終了すると、図柄変動遊技の待機状態に戻すために特別動作ステータスを１に更新してから（Ｓ１０１０）、本特別電動役物処理（Ｓ１０００）を終了する。
【０１０２】
Ｂ−６．信号の外部出力  ：
本実施例のパチンコ機１では、上述したように、主に遊技に関する情報をパチンコ機１の外部で管理することができるように、遊技に関する情報などがパチンコ機１の外部に出力される。図１３は、パチンコ機１および上述した排出球計数器４９から遊技に関する情報を含む信号が出力され、これらの信号が中継装置９０を経由してデータ表示機７０に入力される様子を概念的に示した説明図である。ここで、パチンコ機１および排出球計数器４９から外部に出力される信号について説明する。
【０１０３】
まず、パチンコ機１から出力される信号について説明する。上述した第１始動口センサー２４によって遊技球が検知された場合には、第１始動口に遊技球が入球したことを示す第１入球信号が出力される。第１入球信号は、第１始動口センサー２４によって遊技球が検知される毎に、第１入球信号用端子から１パルス出力される。パチンコ機１外部の装置では、この第１入球信号を入力することによって、第１始動口２４に遊技球が入球したことを把握することができる。
【０１０４】
上述した第２始動口センサー２５によって遊技球が検知された場合には、第２始動口に遊技球が入球したことを示す第２入球信号が出力される。第２入球信号は、第２始動口センサー２５によって遊技球が検知される毎に、第２入球信号用端子から１パルス出力される。パチンコ機１外部の装置では、この第２入球信号を入力することによって、第２始動口２５に遊技球が入球したことを把握することができる。
【０１０５】
上述した賞球検知センサー３５ｓによって１０個の遊技球が検知された場合には、遊技球が１０個払い出されたことを示す賞球信号が出力される。賞球信号は、賞球検知センサー３５ｓによって１０個の遊技球が検知される毎に賞球信号用端子から１パルス出力される。パチンコ機１外部の装置では、この賞球信号を入力することによって賞球として払い出された遊技球の数を１０個単位で把握することができる。
【０１０６】
上述した特別図柄が停止表示された場合に、図柄変動遊技が終了したことを示す図柄確定信号が出力される。図柄確定信号は、図柄変動遊技が終了（特別図柄の確定表示が終了）する毎に図柄確定信号用端子から１パルス出力される。パチンコ機１外部の装置では、この図柄確定信号を入力することによって図柄変動遊技が終了したことを把握することができる。
【０１０７】
上述した大当り遊技中においては、大当り遊技であることを示す大当り信号が出力される。大当たり信号は、大当たり遊技中にＨＩレベルとなり、大当たり遊技以外の遊技中にＬＯＷレベルとなるレベル信号として、大当り信号用端子から出力される。すなわち、大当り信号の出力を開始するとは、大当り信号の出力状態をＬＯＷレベルからＨＩレベルに切り替えることを意味し、大当り信号の出力を停止するとは、大当り信号の出力状態をＨＩレベルからＬＯＷレベルに切り替えることを意味している。パチンコ機１外部の装置では、この大当り信号を入力することによって大当り遊技であるか否かを判定することができる。
【０１０８】
上述した高確率状態においては、高確率状態であることを示す確変信号が出力される。確変信号は、高確率状態中にＨＩレベルとなり、高確率状態以外の遊技状態中（低確率状態および大当たり遊技中）にＬＯＷレベルとなるレベル信号として、確変信号用端子から出力される。すなわち、確変信号の出力を開始するとは、確変信号の出力状態をＬＯＷレベルからＨＩレベルに切り替えることを意味し、確変信号の出力を停止するとは、確変信号の出力状態をＨＩレベルからＬＯＷレベルに切り替えることを意味している。パチンコ機１外部の装置では、この確変信号を入力することによって高確率状態であるか否かを判定することができる。尚、本実施例では電サポ状態が高確率状態と常に同時に発生するため、確変信号を入力することによって電サポ状態であるか否かについても判定することができる。
【０１０９】
続いて、排出球計数器４９から出力される信号について説明する。排出球計数器４９では、排出検知センサーによって排出機構の回転が検知された場合に、１０個の遊技球が排出されたことを示す打込信号が出力される。打込信号は、排出検知センサーによって排出機構の回転が検知される毎に１パルス出力される。パチンコ機１外部の装置では、この打込信号を入力することによって排出された遊技球の数を１０個単位で把握することができる。
【０１１０】
データ表示機７０は、これらの信号を入力することによって、パチンコ機１での遊技に関する情報を表示させることが可能となっている。
【０１１１】
Ｃ．データ表示機の構成  ：
Ｃ−１．装置構成  ：
図１４は、上述したデータ表示機７０の正面図である。図１４に示すように、データ表示機７０の略中央には液晶表示部７１が設けられている。液晶表示部７１では、パチンコ機１での遊技に関する各種情報が表示される。液晶表示部７１の周囲には、左右上方にまたがって、パチンコ機１の遊技状態などを示すランプ７２が設けられている。液晶表示部７１の下方には、遊技ホールの従業員を呼び出すための呼出ボタン７３が設けられている。呼出ボタン７３が操作された場合には、従業員のインカムを通じて呼出ボタン７３が操作されたデータ表示機７０への音声案内がされるとともに、ランプ７２が赤色で点灯される。また、呼出ボタン７３の右方には、液晶表示部７１の表示内容を切り替えるための操作ボタン７４が設けられている。
【０１１２】
図１５は、本実施例のデータ表示機７０における制御回路の構成を示したブロック図である。図１５に示すように、データ表示機７０の制御回路には、各種制御を行う制御基板８０が設けられている。この制御基板８０には、各種論理演算および算出演算を実行するＣＰＵ８１や、ＣＰＵで実行される各種プログラムやデータが記憶されているＲＯＭ８２、プログラムの実行に際してＣＰＵが一時的なデータを記憶するＲＡＭ８３などが搭載されている。
【０１１３】
データ表示機７０の制御回路には、信号の入出力を行う入出力ポート８４が設けられている。入出力ポート８４は上述した中継装置９０と接続されており、制御基板８０は、入出力ポート８４を介してパチンコ機１から出力される第１入球信号、第２入球信号、賞球信号、図柄確定信号、大当り信号、確変信号、および排出球計数器４９から出力される打込信号（以下これらの信号の一部または全部をまとめて「遊技信号」という）を入力することが可能となっている。制御基板８０は遊技信号を入力することによってパチンコ機１での遊技に関する情報（以下「遊技情報」という）を特定することができる。
【０１１４】
制御基板８０には、上述した液晶表示部７１およびランプ７２が接続されている。制御基板８０では、パチンコ機１の遊技情報を液晶表示部７１に表示させる制御や、ランプ７２の点灯態様をパチンコ機１の遊技状態に応じて変更させる制御が行われる。また、制御基板８０には、呼出ボタン７３が接続されている。この呼出ボタン７３が操作されると、遊技ホールの従業員を呼び出す信号を出力するとともに、ランプ７２を赤色に点灯させる制御が行われる。更に、制御基板８０には操作ボタン７４が接続されており、制御基板８０は、操作ボタン７４の操作に応じて液晶表示部７１の表示内容を変更させる制御を行う。
【０１１５】
Ｃ−２．表示制御処理  ：
データ表示機７０では、ＣＰＵ８１において液晶表示部７１およびランプ７２の点灯態様を制御する表示制御処理が実行される。図１６は、データ表示機７０で実行される表示制御処理のフローチャートである。
【０１１６】
＜第１入球信号対応処理＞
表示制御処理では、図１６に示すように、先ず第１入球信号対応処理（Ｓ１２００）が実行される。第１入球信号対応処理（Ｓ１２００）では、第１入球信号を受信すると、第１特図保留数を示す表示側第１特図保留数カウンタの値を１加算する。上述したように、本実施例のパチンコ機１は第２特図の優先変動機能を有しているため、表示側第１特図保留数カウンタの値は、第２特図保留数を示す表示側第２特図保留数カウンタの値が０の状態で図柄確定信号を受信した場合に１減算される。
【０１１７】
＜第２入球信号対応処理＞
続いて、表示制御処理では、第２入球信号対応処理（Ｓ１３００）が実行される。第２入球信号対応処理（Ｓ１３００）では、第２入球信号を受信すると、上述した表示側第２特図保留数カウンタの値を１加算する。表示側第２特図保留数カウンタは、１以上の状態で図柄確定信号を受信した場合には１減算される。
【０１１８】
＜賞球信号対応処理＞
続いて、表示制御処理では、賞球信号対応処理（Ｓ１４００）が実行される。賞球信号対応処理（Ｓ１４００）では、賞球信号の受信状況に基づいて、大当り遊技中の賞球数が算出される。すなわち、賞球信号対応処理（Ｓ１４００）では、先ず大当り状態中であるか否かの判断が行われ、大当り状態中である場合にはその大当り状態中に受信した賞球信号に基づいて大当り状態中の賞球数が計数される。賞球信号は、１０個の賞球が払い出される毎に１パルス出力されるため、賞球信号の受信回数に１０を乗じることで、賞球数を認識することができる。こうして特定された大当り状態中の賞球数は、液晶表示部７１に表示させることが可能となっている。
【０１１９】
＜図柄確定信号対応処理＞
続いて、表示制御処理では、図柄確定信号対応処理（Ｓ１５００）が実行される。図柄確定信号対応処理（Ｓ１５００）では、図柄確定信号を受信すると、後述の漫画画像を切り替える処理などが行われる。図柄確定信号対応処理（Ｓ１５００）については、後で詳しく説明する。
【０１２０】
＜大当り信号対応処理＞
続いて、表示制御処理では、大当り信号対応処理（Ｓ１６００）が実行される。大当り信号対応処理（Ｓ１６００）では、大当り信号の受信状況に基づいて、大当り状態中であるか否かの判定がされる。上述したように、大当り信号は、大当り状態以外の状態ではＬＯＷレベルとなり、大当り状態中はＨＩレベルとなるため、ＨＩレベルとなっている状態では大当り状態と判定し、ＬＯＷレベルとなっている状態では、大当り状態以外の状態であると判定する。また、大当り状態となった回数を計数することで、大当り状態の発生回数が特定され、液晶表示部７１に表示される。
【０１２１】
＜確変信号対応処理＞
続いて、表示制御処理では、確変信号対応処理（Ｓ１７００）が実行される。確変信号対応処理（Ｓ１７００）では、確変信号の受信状況に基づいて、高確率状態中であるか否かの判定がされる。上述したように、確変信号は、高確率状態中にＨＩレベルとなり、高確率状態以外の遊技状態中（低確率状態および大当たり遊技中）にＬＯＷレベルとなるため、ＨＩレベルとなっている状態では高確率状態と判定し、ＬＯＷレベルとなっている状態では低確率状態と判定する。これによって、液晶表示部７１の表示内容を遊技状態に応じた表示内容とすることができる。また、高確率状態と通常遊技状態とを識別することが可能となるため、通常遊技状態での大当り判定で当選した回数（初当りの発生回数）が計数され、液晶表示部７１に表示される。
【０１２２】
＜打込信号対応処理＞
続いて、表示制御処理では、打込信号対応処理（Ｓ１８００）が実行される。打込信号対応処理（Ｓ１８００）では、打込信号の受信状況に基づいて、遊技盤２０から排出された遊技球の数、すなわち、発射装置ユニット６０から発射された遊技球の数が特定される。上述したように、打込信号は、１０個の遊技球が遊技盤２０から排出される毎に１パルス出力されるため、打込信号の受信回数に１０を乗じることで排出された遊技球の数（発射された遊技球の数）を特定することができる。
【０１２３】
＜ボタン操作対応処理＞
続いて、表示制御処理では、ボタン操作対応処理（Ｓ１９００）が実行される。ボタン操作対応処理（Ｓ１９００）では、データ表示機７０に設けられた各種ボタン（呼出ボタン７３、操作ボタン７４）が操作された場合に、その操作に応じた処理が実行される。例えば、呼出ボタン７３が操作された場合には、上述したように、遊技ホールの従業員を呼び出す信号を外部に出力するとともに、ランプ７２を赤色に点灯させる制御が行われる。また、操作ボタン７４が操作された場合には、液晶表示部７１の表示内容を変更させる制御が行われる。このボタン操作対応処理（Ｓ１９００）が終了すると、第１入球信号対応処理（Ｓ１２００）に戻る。
【０１２４】
＜図柄確定信号対応処理＞
図１７は、図柄確定信号対応処理（Ｓ１５００）のフローチャートである。図柄確定信号対応処理（Ｓ１５００）では、図柄確定信号の受信に応じて様々な処理が行われる。そのため、図柄確定信号対応処理（Ｓ１５００）では、先ず、図１７に示すように、図柄確定信号を受信したか否かを判定する（Ｓ１５０１）。図柄確定信号を受信していない場合には（Ｓ１５０１：ｎｏ）、そのまま本図柄確定信号対応処理（Ｓ１５００）を終了する。一方、図柄確定信号を受信した場合には（Ｓ１５０１：ｙｅｓ）、データ表示機７０の液晶表示部７１に表示される漫画画像の切替が行われる（Ｓ１５０４）。
【０１２５】
図１８は、データ表示機７０の液晶表示部７１に漫画画像が表示されている様子を示す説明図である。図１８（ａ）に示すように、液晶表示部７１には、第１表示領域７１ａ〜第４表示領域７１ｄが形成されている。第１表示領域７１ａでは、漫画画像が表示され、第２表示領域７１ｂでは、第１表示領域７１ａにいずれの漫画画像が表示されているかを示す情報が表示される。具体的には、第２表示領域７１ｂには、漫画のタイトルとともに、何話の何番目の画像であるかを示す情報が表示されるようになっており、図１８（ａ）では、第１話目の１２０枚の画像中１枚目の画像であることが示されている。第３表示領域７１ｃおよび第４表示領域７１ｄには、遊技に関する情報が表示される。具体的には、第３表示領域７１ｃには、当日における大当り遊技の発生回数、初当りの発生回数、および前回の大当り遊技が終了してからの図柄変動遊技の実行回数が表示され、第４表示領域７１ｄには、大当り遊技が行われるまでに要した図柄変動遊技の実行回数の履歴が棒グラフで表示される。
【０１２６】
また、液晶表示部７１の下部には、各操作ボタン７４の機能を示す情報が表示される。図１８（ａ）では、操作ボタン７４ａがメニュー画面に切り替えるボタンであることが示されており、操作ボタン７４ｃが前日以前の遊技に関する情報を表示させるボタンであることが示されており、操作ボタン７４ｆが漫画画像の表示領域を拡大させるボタンであることが示されている。図１８（ｂ）では、操作ボタン７４ｆが操作されて漫画画像の表示領域が拡大された様子が示されている。図１８（ｂ）に示すように、液晶表示部７１には、図１８（ａ）の第１表示領域７１ａよりも大きい第５表示領域７１ｅが形成されており、漫画画像が拡大して表示される。この状態では、操作ボタン７４ｆが漫画画像を縮小させるボタンとなっており、操作ボタン７４ｆが操作されると、図１８（ａ）の表示態様に戻る。
【０１２７】
このように、本実施例のデータ表示機７０では、漫画画像が表示される。本実施例では、ＲＯＭ８２に全１００話分の漫画画像が記憶されている。尚、各話が本発明の「群」に相当する。各話の漫画画像は複数のコマに分割して記憶されており、分割された各コマには、それぞれ漫画画像ＩＤが振られている。図１９（ａ）は、各話に対応する話数ＩＤを概念的に示した説明図である。図１９（ａ）に示すように、話数ＩＤは「Ｓ」に各話数の数字を組み合わせた情報となっており、例えば、第１話の話数ＩＤは「Ｓ１」、第１５話の話数ＩＤは「Ｓ１５」となっている。図１９（ｂ）は、コマ数と、各コマ数に対応する漫画画像ＩＤとの対応関係を示した説明図である。図１９（ｂ）では、第１話における各コマ数と、各コマ数に対応する漫画画像ＩＤが示されている。図１９（ｂ）に示すように、第１話は第１コマ〜第１２０コマまでの１２０個のコマで構成されており、各コマ数に対応してコマ数ＩＤが振られている。コマ数ＩＤは、「Ｐ」に各コマ数を組み合わせた情報となっており、例えば、第１コマのコマ数ＩＤは「Ｐ１」、第３４コマのコマ数ＩＤは「Ｐ３４」となっている。そして、漫画画像ＩＤは、上述した話数ＩＤとコマ数ＩＤとを組み合わせた情報となっており、例えば、第１話の第１コマの漫画画像ＩＤは「Ｓ１Ｐ１」、第５話の第４７コマの漫画画像ＩＤは「Ｓ５Ｐ４７」となっている。このように、各漫画画像ＩＤは、話数およびコマ数の順番と対応付けて記憶されており、そのため、順番通りに漫画画像を切り替えることで、漫画が展開される。
【０１２８】
本実施例では、図柄変動遊技が実行される毎に漫画画像が切り替えられるように、次のような処理が実行される。すなわち、図１７のフローチャートで示すように、図柄確定信号を受信すると（Ｓ１５０１：ｙｅｓ）、漫画画像が次の漫画画像に切り替えられるように、コマ数ＩＤ（漫画画像ＩＤ）が更新される（Ｓ１５０２）。ＲＡＭ８３には、液晶表示部７１に表示させる漫画画像に対応したコマ数ＩＤ（漫画画像ＩＤ）を記憶および更新する漫画画像ＩＤ記憶領域があり、コマ数ＩＤを更新する処理では、コマ数ＩＤの数字の部分が１加算されたコマ数ＩＤ（漫画画像ＩＤ）となるように漫画画像ＩＤ記憶領域のコマ数ＩＤ（漫画画像ＩＤ）が更新される。例えば、コマ数ＩＤが「Ｐ１０」の場合には、「Ｐ１１」に更新される。尚、コマ数ＩＤの初期値は、第１コマから表示されるように「Ｐ１」となっている。コマ数ＩＤを更新すると、話数ＩＤと更新後のコマ数ＩＤとからなる漫画画像ＩＤがＲＯＭ８２に存在するか否かを判定する（Ｓ１５０３）。これが存在する場合には（Ｓ１５０３：ｙｅｓ）、この漫画画像ＩＤに対応する漫画画像に切り替えられ（Ｓ１５０４）、その後、図柄確定信号対応処理（Ｓ１５００）が終了となる。
【０１２９】
一方、話数ＩＤと更新後のコマ数ＩＤとからなる漫画画像ＩＤが存在しない場合には（Ｓ１５０３：ｎｏ）、現在進行中の話数が終了したことを意味するので、次の話数に進ませるべく、コマ数ＩＤを「Ｐ１」に戻してから（Ｓ１５０５）、話数ＩＤを更新する（Ｓ１５０６）。具体的には、話数ＩＤの数字の部分が１加算された話数ＩＤに更新される。例えば、話数ＩＤが「Ｓ６」となっている場合には、「Ｓ７」に更新される。尚、話数ＩＤの初期値は、第１話から表示されるように「Ｓ１」となっている。話数ＩＤを更新すると、更新後の話数ＩＤがＲＯＭ８２に存在するか否かを判定する（Ｓ１５０７）。これが存在する場合には（Ｓ１５０７：ｙｅｓ）、この漫画画像ＩＤに対応する漫画画像に切り替えられ（Ｓ１５０４）、その後、図柄確定信号対応処理（Ｓ１５００）が終了となる。これに対し、更新後の話数ＩＤがＲＯＭ８２に存在しない場合には（Ｓ１５０７：ｎｏ）、漫画が最後まで表示されたことを意味するので、漫画を最初から表示すべく、話数ＩＤを第１話に対応する「Ｓ１」に切り替えてから、最初の漫画画像ＩＤに対応する「Ｓ１Ｐ１」の漫画画像に切り替え（Ｓ１５０４）、その後、図柄確定信号対応処理（Ｓ１５００）を終了する。
【０１３０】
図２０は、パチンコ機１における図柄変動演出（図柄変動遊技）の進行に伴って、データ表示機７０における漫画画像が切り替えられる様子を示した説明である。図２０（ａ）では、パチンコ機１の演出表示装置４１に３つの識別図柄４１ａ，４１ｂ，４１ｃが停止表示されており、データ表示機７０の液晶表示部７１には漫画画像ＩＤ「Ｓ１Ｐ１」に対応する漫画画像が表示されている様子が示されている。この状態から、識別図柄４１ａ，４１ｂ，４１ｃが変動表示され（図１８（ｂ））、停止表示されると、図柄確定信号がデータ表示機７０に向けて出力され、これを受信したデータ表示機７０では、漫画画像が、漫画画像ＩＤ「Ｓ１Ｐ２」に対応する漫画画像に切り替えられる（図１８（ｃ））。その後、再び識別図柄４１ａ，４１ｂ，４１ｃが変動表示され（図１８（ｄ））、停止表示されると、図柄確定信号がデータ表示機７０に向けて出力され、これを受信したデータ表示機７０では、漫画画像が、漫画画像ＩＤ「Ｓ１Ｐ３」に対応する漫画画像に切り替えられる（図１８（ｅ））。このようにして、データ表示機７０の液晶表示部７１では、パチンコ機１側から図柄確定信号を受信するごとに、漫画画像が所定の順序に従って切り替えられる。
【０１３１】
このように、図柄変動遊技が実行されるごとに自動的に漫画画像が切り替えられるパチンコ機１では、遊技者が前の漫画画像に戻って再確認したい場合もある。そこで、本実施例のパチンコ機１では、遊技者が操作ボタン７４を操作することで、漫画画像を戻すことができるようになっている。図１８に示すように、操作ボタン７４ｄは「戻る」に対応した操作部となっており、この操作ボタン７４ｄを操作することで漫画画像が１つ前の漫画画像に切り替えられる。ＲＡＭ８３には、「戻る」の操作に応じて表示される漫画画像の漫画画像ＩＤが記憶および更新される再表示漫画画像ＩＤ記憶領域があり、この再表示漫画画像ＩＤ記憶領域の情報に基づいて、漫画画像の再表示が行われる。遡ることができるコマ数には上限（本実施例では、５コマ）が設定されており、遡ることで全ての漫画画像が見られることを制限している。漫画画像が再表示された後、図柄変動遊技が実行されて図柄確定信号を受信すると、上述した漫画画像ＩＤ記憶領域に記憶された漫画画像ＩＤに対応した漫画画像が表示される。
【０１３２】
＜漫画画像設定操作＞
このように、図柄変動遊技が実行されるごとに漫画画像が切り替えられるパチンコ機１では、遊技者が遊技機を変更した場合であっても続きから漫画を見られることが好ましい。そこで、本実施例では、遊技者が所望の話数から漫画画像を表示させることができるように、以下のような機能が搭載されている。
【０１３３】
図２１ないし図２３は、遊技者が、起点となる漫画画像を設定する操作を説明するための図である。図２１（ａ）は、メニュー画面である。図１８を用いて説明した表示態様にて操作ボタン７４ａを操作すると、このメニュー画面となる。メニュー画面では、選択肢として、「データ表示画面」と「漫画設定画面」の２つが表示され、操作ボタン７４の操作によって何れかを選択することができる。選択肢は、操作ボタン７４ｂ，７４ｃによって上下に移動し、操作ボタン７４ｆの操作によって決定される。「データ表示画面」が選択された場合には、図１８で示した表示画面に切り替わる。一方、「漫画設定画面」が選択された場合には、図２１（ｂ）に示すような、起点となる話数を選択する画面が表示される。１画面では１０話分の選択肢が表示可能となっており、図２１（ｂ）では、第１話から第１０話までの選択肢が表示されている。また、操作ボタン７４ｅを操作することで、第１１話以降の選択肢が表示される。
【０１３４】
図２２（ｃ）は、操作ボタン７４ｅが操作された場合に表示される画像である。この画像では、第１１話から第２０話までの選択肢が表示されている。ここで、操作ボタン７４ｄが操作された場合には、前の画像に戻り、操作ボタン７４ｅが操作された場合には、第２１話以降の選択肢が表示される。一方、いずれかの話数が選択されると、図２２（ｄ）に示すように、データ表示画面に切り替わり、第１表示領域７４ａには、設定操作前の漫画画像が表示されたまま、第２表示領域７４ｂには、次回の切替では、選択された話数の漫画画像が表示されることが示される。図２２（ｄ）は、「第１７話」が選択された場合の例であり、次回、第１７話の漫画画像が表示されることが示されている。その後、図柄変動遊技が実行されると、図２３（ａ）に示すように、第１表示領域７４ａには、第１７話の第１コマが表示され、続いて、図柄変動遊技が実行されると、図２３（ｂ）に示すように、第１表示領域７４ａには、第１７話の第２コマが表示される。
【０１３５】
尚、制御基板８０の、図柄確定信号の受信に基づいて図柄変動遊技が実行されたことを判定する機能が本発明の「遊技判定手段」に相当し、１コマの漫画画像が本発明の「画像」に相当し、ＲＯＭ８２の漫画画像を記憶する機能が本発明の「画像情報記憶手段」に相当し、液晶表示部７１が本発明の「表示部」に相当し、制御基板８０の、液晶表示部７１に漫画画像を表示させる機能が本発明の「表示制御手段」に相当し、制御基板８０の、遊技者の操作に応じて起点となる漫画画像を設定する機能が本発明の「設定手段」に相当し、制御基板８０の、遊技者の操作に応じて既に表示された漫画画像を再表示する機能は本発明の「表示制御手段は、遊技者が行う所定の再表示操作に応じて、既に表示された画像を再度表示させる」に相当する。
【０１３６】
以上説明したように、本実施例では、パチンコ機１で図柄変動遊技が実行される毎に、データ表示機７０の液晶表示部７１で漫画画像が順番通りに切り替えられる。このため、図柄変動遊技が実行される毎に、漫画のストーリーが進行し、遊技者に対し続きを見たいという欲求を駆り立てることができ、その結果、遊技を継続させ、稼働の低下を抑制することが可能となる。
【０１３７】
また、本実施例では、遊技者によって起点となる漫画画像が選択された場合に、その漫画画像を起点として漫画が進行する。このため、遊技者は所望の漫画画像を選択することで、その漫画画像を起点に漫画画像を進行させることが可能となる。
【０１３８】
また、本実施例では、遊技者の操作によって既に表示された漫画画像を再表示させることができる。このため、遊技者は、例えば、漫画画像を見終わる前に切り替わってしまったような場合に、既に表示された漫画画像を再表示させて確認することが可能となっている。
【０１３９】
Ｄ．変形例  ：
上記実施例では、パチンコ機１での図柄変動遊技の終了時に漫画画像を切り替える構成としたが、図柄変動遊技が実行されるごとに漫画画像を切り替えるものであれば、切替タイミングは異なっていてもよい。例えば、図柄変動遊技の開始時であってもよく、本変形例では、図柄変動遊技の開始時に漫画画像を切り替える構成について説明する。尚、上記実施例と共通する構成については説明を省略し、主に異なる部分について説明する。
【０１４０】
＜第１入球信号対応処理＞
図２４は、変形例における、第１入球信号対応処理（Ｓ１２００）のフローチャートである。第１入球信号対応処理では、第１入球信号の受信に応じた処理が行われるため、図２４に示すように、先ず、第１入球信号を受信したか否かが判定される（Ｓ１２０１）。第１入球信号を受信していない場合には（Ｓ１２０１：ｎｏ）、本第１入球信号対応処理（Ｓ１２００）を終了する。一方、第１入球信号を受信した場合には（Ｓ１２０１：ｙｅｓ）、パチンコ機１で図柄変動遊技が実行されていないかどうかが判定される（Ｓ１２０２）。具体的には、図柄変動遊技が実行中であることを示すＲＡＭ８３の図柄変動遊技中フラグに基づいて判定される。図柄変動遊技中フラグは、図柄変動遊技中でない場合は０に設定され、図柄変動遊技中は１に設定される。図柄変動遊技が実行されていないと判定した場合には（Ｓ１２０２：ｙｅｓ）、今回の入球によって図柄変動遊技が実行されることとなるため、図柄変動遊技中フラグを１に設定する（Ｓ１２０３）。その後、漫画画像を切り替える漫画画像切替処理（Ｓ１２０４）を実行してから、本第１入球信号対応処理（Ｓ１２００）を終了する。すなわち、図柄変動遊技が実行されていない状態で第１入球信号を受信すると、漫画画像切替処理（Ｓ１２０４）が実行される。
【０１４１】
第１入球信号を受信した場合に（Ｓ１２０１：ｙｅｓ）、既に図柄変動遊技中であれば（Ｓ１２０２：ｎｏ）、第１特図保留数を示すＲＡＭ８３の表示側第１特図保留数カウンタの値が上限値（本実施例では４）に達しているか否かを判定し（Ｓ１２０５）、上限値に達していなければ、表示側第１特図保留数カウンタに１加算してから（Ｓ１２０６）、本第１入球信号対応処理（Ｓ１２００）を終了する。一方、表示側第１特図保留カウンタの値が上限値に達している場合には（Ｓ１２０５：ｙｅｓ）、そのまま本第１入球信号対応処理（Ｓ１２００）を終了する。
【０１４２】
＜漫画画像切替処理＞
図２５は、変形例における、漫画画像切替処理（Ｓ１２０４）のフローチャートである。漫画画像切替処理（Ｓ１２０４）では、上記実施例の図柄確定信号対応処理（Ｓ１５００）で実行されたように、漫画画像ＩＤの更新や切替が行われる。具体的には、図２５に示すように、先ず、コマ数ＩＤが更新され（Ｓ１２５１）、更新後の漫画画像ＩＤに対応する情報がＲＯＭ８２の漫画画像記憶領域に記憶されているか否かを判定し（Ｓ１２５２）、記憶されている場合には（Ｓ１２５２：ｙｅｓ）、漫画画像を切り替え（Ｓ１２５３）、本漫画画像切替処理（Ｓ１２０４）を終了する。
【０１４３】
一方、更新後の漫画画像ＩＤに対応する情報が記憶されていない場合には（Ｓ１２５２）、コマ数ＩＤを「Ｐ１」に戻し（Ｓ１２５４）、話数ＩＤを更新してから（Ｓ１２５５）、更新後の漫画画像ＩＤに対応する情報がＲＯＭ８２の漫画画像記憶領域に記憶されているか否かを判定する（Ｓ１２５６）。その結果、対応する情報が記憶されていない場合には（Ｓ１２５６：ｎｏ）、話数ＩＤを「Ｓ１」に戻してから（Ｓ１２５７）、漫画画像を切り替え（Ｓ１２５３）、対応する情報が記憶されている場合には（Ｓ１２５６：ｙｅｓ）、そのまま漫画画像を切り替える（Ｓ１２５３）。その後、本漫画画像切替処理（Ｓ１２０４）を終了する。
【０１４４】
＜第２入球信号対応処理＞
図２６は、変形例における、第２入球信号対応処理（Ｓ１３００）のフローチャートである。第２入球信号対応処理（Ｓ１３００）では、第２入球信号の受信に応じた処理が行われるため、図２６に示すように、先ず、第２入球信号を受信したか否かが判定される（Ｓ１３０１）。第２入球信号を受信していない場合には（Ｓ１３０１：ｎｏ）、本第２入球信号対応処理（Ｓ１３００）を終了する。一方、第２入球信号を受信した場合には（Ｓ１３０１：ｙｅｓ）、パチンコ機１で図柄変動遊技が実行されていないかどうかが判定される（Ｓ１３０２）。図柄変動遊技が実行されていないと判定した場合には（Ｓ１３０２：ｙｅｓ）、今回の入球によって図柄変動遊技が実行されることとなるため、図柄変動遊技中フラグを１に設定する（Ｓ１３０３）。その後、上述した漫画画像切替処理（Ｓ１２０４）を実行してから、本第２入球信号対応処理（Ｓ１３００）を終了する。すなわち、図柄変動遊技が実行されていない状態で第２入球信号を受信すると、漫画画像切替処理（Ｓ１２０４）が実行される。
【０１４５】
第２入球信号を受信した場合に（Ｓ１３０１：ｙｅｓ）、既に図柄変動遊技中であれば（Ｓ１３０２：ｎｏ）、第２特図保留数を示すＲＡＭ８３の表示側第２特図保留数カウンタの値が上限値（本実施例では４）に達しているか否かを判定し（Ｓ１３０５）、上限値に達していなければ、表示側第２特図保留数カウンタに１加算してから（Ｓ１３０６）、本第２入球信号対応処理（Ｓ１３００）を終了する。一方、表示側第２特図保留カウンタの値が上限値に達している場合には（Ｓ１３０５：ｙｅｓ）、そのまま本第２入球信号対応処理（Ｓ１３００）を終了する。
【０１４６】
＜図柄確定信号対応処理＞
図２７は、変形例における、図柄確定信号対応処理（Ｓ１５００）のフローチャートである。図柄確定信号対応処理（Ｓ１５００）では、図柄確定信号を受信した場合に特図保留があれば、図柄変動遊技が終了した後、直ちに図柄変動遊技が再開されるため、この図柄変動遊技の再開に伴って上述した漫画画像切替処理（Ｓ１２０４）を実行する。
【０１４７】
そのために、先ず、図柄確定信号対応処理（Ｓ１５００）では、図２７に示すように、図柄確定信号を受信したか否かを判定する（Ｓ１５５１）。その結果、図柄確定信号を受信していない場合には（Ｓ１５５１：ｎｏ）、そのまま本図柄確定信号対応処理（Ｓ１５００）を終了する。図柄確定信号を受信した場合には（Ｓ１５５１：ｙｅｓ）、優先して消化される第２特図保留があるか否かを確認するため、表示側第２特図保留数カウンタの値が１以上であるか否かを判定する（Ｓ１５５２）。表示側第２特図保留数カウンタの値が１以上であると判定した場合には（Ｓ１５５２：ｙｅｓ）、表示側第２特図保留数カウンタの値から１減算してから（Ｓ１５５３）、上述した漫画画像切替処理（Ｓ１２０４）を実行し、本図柄確定信号対応処理（Ｓ１５００）を終了する。
【０１４８】
表示側第２特図保留数カウンタの値が０である場合には（Ｓ１５５２：ｎｏ）、第１特図保留があるか否かを確認するため、表示側第１特図保留数カウンタの値が１以上であるか否かを判定する（Ｓ１５５５）。表示側第１特図保留数カウンタの値が１以上である場合には（Ｓ１５５５：ｙｅｓ）、表示側第１特図保留数カウンタの値から１減算してから（Ｓ１５５６）、上述した漫画画像切替処理（Ｓ１２０４）を実行し、本図柄確定信号対応処理（Ｓ１５００）を終了する。
【０１４９】
このように、特図保留数を管理することで、図柄確定信号の受信時に図柄変動遊技が再開されるか否かを判定することが可能となり、図柄変動遊技の再開に伴って漫画画像切替処理（Ｓ１２０４）が実行される。
【０１５０】
また、表示側第２特図保留数カウンタ、および表示側第１特図保留数カウンタのいずれも０である場合には（Ｓ１５５２：ｎｏかつＳ１５５５：ｎｏ）、図柄変動遊技が終了して再開もされないため、図柄変動遊技中フラグを０に設定する（Ｓ１５５７）。その後、本図柄確定信号対応処理（Ｓ１５００）を終了する。
【０１５１】
図２８は、本変形例における、図柄変動遊技（図柄変動演出）の進行に伴って漫画画像を切り替えられる様子を示した説明図である。図２８（ａ）では、図柄が停止表示されており、データ表示機７０の液晶表示部７１には、漫画画像ＩＤ「Ｓ１Ｐ１」に対応する漫画画像が表示されている様子が示されている。この状態で図柄変動遊技が開始されると、これに伴って漫画画像が次の漫画画像（漫画画像ＩＤ「Ｓ１Ｐ２」に対応する漫画画像）に切り替えられる（図２８（ｂ））。その後、図柄が停止表示されて図柄変動遊技が終了し（図２８（ｃ））、図柄変動遊技（図柄変動演出）が再度開始されると、その開始に伴って漫画画像が次の漫画画像（漫画画像ＩＤ「Ｓ１Ｐ３」に対応する漫画画像）に切り替えられる（図２８（ｄ））。その後、図柄が停止表示されて図柄変動遊技が終了する（図２８（ｅ））。
【０１５２】
以上説明したように、本変形例では、図柄変動遊技の実行状態を管理しているため、入球信号（第１入球信号および第２入球信号）を受信した場合に、図柄変動遊技が開始されるか否かを判定することができ、また、特図保留数を管理しているため、図柄確定信号を受信した場合に、図柄変動遊技が再開されるか否かを判定することができる。そして、このように、図柄変動遊技の開始タイミングを特定することで、図柄変動遊技の開始に伴って漫画画像を切り替えることが可能となっている。
【０１５３】
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１５４】
上記実施例では、図柄変動遊技が実行されたことを示す信号として、図柄変動遊技の終了時に出力する図柄確定信号としているが、別の信号としてもよい。例えば、図柄変動遊技の開始時に出力される信号であってもよい。この場合には、図柄変動遊技の開始時に漫画画像を切り替えることができる。また、図柄変動遊技の実行中にパルス出力される信号や、図柄変動遊技の実行中に渡りレベル出力される信号であってもよい。この場合には、図柄変動遊技の実行中に漫画画像を切り替えることができる。
【０１５５】
上記実施例では、大当り信号を、大当り遊技中にレベル出力する信号としたが、大当り遊技の開始時に出力する信号であってもよいし、大当り遊技の開始時および終了時に出力する信号であってもよい。
【０１５６】
上記実施例では、確変信号を、高確率状態中にレベル出力する信号としたが、高確率状態の開始時に出力する信号であってもよいし、高確率状態の開始時および終了時に出力する信号であってもよい。また、大当り遊技中と高確率状態とに渡ってレベル出力する信号としてもよい。この場合にも、大当り信号が出力されていない状態で確変信号が出力されている状態を高確率状態であると判定することが可能となる。
【０１５７】
上記実施例では、電サポ状態に対応する信号を出力していないが、電サポ状態に対応する信号を出力してもよい。この場合、高確率状態と電サポ状態とが同時に発生しないことがある遊技機についても、電サポ状態を外部で判定することが可能となる。
【０１５８】
上記実施例では、起点となる漫画画像の選択肢が話数単位となっているが、コマ数単位で選択できるようにしてもよい。例えば、「第１０話の第２０コマ」のように、コマ数まで選択できるようにしてもよい。
【０１５９】
上記実施例では、データ表示機７０は中継装置９０を介してパチンコ機１から出力された信号を受信する構成となっているが、パチンコ機１から直接受信する構成としてもよい。
【０１６０】
上記実施例では、複数の画像として漫画を構成する漫画画像を採用したが、所定の順番で表示されることによって一連の事柄を表すものであれば、別の画像であってもよい。例えば、文字だけが表示される画像であってもよいし、文字がなく絵だけが表示される画像であってもよい。こうした場合にも、次の展開に関心を持たせることができ、稼働の低下抑制につながるからである。また、同様の理由から、画像は、静止画に限らず、動画であってもよい。
【０１６１】
上記実施例では、１の画像情報が１の漫画画像に対応して記憶されているが、画像情報が複数の漫画画像に対応する情報として記憶される構成としてもよい。例えば、画像情報に基づいて、複数の漫画画像を生成するようにしてもよい。こうすれば、共通する画像を重複して記憶する必要がなくなるため、データの増大化を抑制することが可能となる。
【０１６２】
また、遊技者が入れ替わったことを判定する交替判定手段を設け、交替判定手段によって遊技者の入れ替わりが判定された場合に、最初の漫画画像から表示されるようにしてもよい。こうすれば、入れ替わった後の遊技者が、途中からではなく、最初の漫画画像から見ることが可能となる。
【０１６３】
また、遊技者が行う所定の初期化操作に応じて、最初の漫画画像から表示させるようにしてもよい。例えば、データ表示画面で操作ボタン７４ｂが操作された場合に、最初の漫画画像から表示されるようにしてもよい。こうすれば、既に漫画画像が途中まで展開されていた場合であっても、その漫画画像を最初から見たい遊技者は、初期化操作を行うことで、最初から見ることが可能となる。
【０１６４】
上記実施例では、遊技機として、遊技ホールの島設備から供給される遊技球を払い出すことによって、遊技の結果としての利益（遊技価値）を遊技者に付与するパチンコ機１を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【０１６５】
上記実施例では、遊技機をパチンコ機として説明したが、いわゆるスロットマシンとしてもよい。この場合、遊技媒体の賭け数を示す信号に基づいて、識別情報変動遊技が実行されたか否かを判定するようにしてもよい。例えば、遊技媒体の賭け数を示す信号を規定数（例えば３枚）分受信する毎に、識別情報変動遊技が実行されたと判定するようにしてもよい。
【産業上の利用可能性】
【０１６６】
本発明は、遊技機での遊技に関する情報を表示する遊技情報表示装置に利用することができる。
尚、上述した本発明の遊技情報表示装置は、以下のような他の態様で把握することもできる。
＜他の態様−１＞
識別情報を変動表示させる識別情報変動遊技を実行可能な遊技機とともに設けられ、該遊技機での遊技に関する情報を表示する遊技情報表示装置であって、
前記遊技機側から送信された信号に基づいて、該遊技機で前記識別情報変動遊技が実行されたか否かを判定する遊技判定手段と、
複数の画像に対応した画像情報を記憶する画像情報記憶手段と、
所定の表示部に前記複数の画像を表示させる表示制御手段と
を備え、
前記複数の画像は、所定の順番で表示されることによって一連の事柄を表す画像であり、
前記画像情報記憶手段は、前記順番に関する情報を記憶しており、
前記表示制御手段は、前記識別情報変動遊技が実行されたと判定される毎に、前記順番に従って前記表示部に前記画像を表示させる
ことを特徴とする。
上述した他の態様に係る遊技情報表示装置では、上記表示部に複数の画像が表示されるようになっており、これら複数の画像が所定の順番で表示されることによって一連の事柄が表される。さらに、これら複数の画像は、識別情報変動遊技が実行されたと判定される毎に、上記順番で表示される。このため、遊技機側で識別情報変動遊技が実行される毎に、上記一連の事柄が明らかになっていく。従って、これらの画像を途中まで見た遊技者に対し、続きを見たいという欲求を駆り立てることができ、その結果、遊技を継続させて、遊技機の稼働の低下を抑制することが可能となる。
＜他の態様−２＞
また、上述した他の態様の遊技情報表示装置においては、
前記複数の画像の中から表示を開始する開始画像を、遊技者が行う所定の設定操作に応じて設定する設定手段を備える
こととしてもよい。
こうすれば、何らかの事情から途中で遊技を止めなければならなかった場合でも、既に見た画像を初めから見直さなくても良いので、遊技者が遊技を再開し易くなる。その結果、遊技機の稼働を向上させることが可能となる。
＜他の態様−３＞
また、上記設定手段を備える他の態様の遊技情報表示装置においては、
前記画像情報記憶手段は、前記複数の画像を複数の群に分類する情報を記憶しており、
前記設定手段は、前記設定操作によって何れかの群が選択された場合に、選択された群の画像から表示されるように設定する
こととしてもよい。
こうすれば、群の途中の画像まで見て遊技を終了した場合でも、次回の遊技では、遊技者が希望する群の画像から表示させることができるので、既に見た群の画像から遡って見なければならない事態を回避することが可能となる。尚、群の途中の画像まで見た段階で遊技を終了した場合には、画像が中途半端な状態で終わっているので、次回の遊技までの間に記憶が薄れ勝ちになり易い。このため、遊技者によって群が選択された場合には、その群の最初の画像から表示させるようにしておいてもよい。
＜他の態様−４＞
また、上述した他の態様の遊技情報表示装置においては、
前記表示制御手段は、遊技者が行う所定の再表示操作に応じて、既に表示された画像を再度表示させる
こととしてもよい。
こうすれば、遊技者は再表示操作を行うことで、既に表示された画像を再度表示させることができる。従って、遊技者が画像を見終わる前に表示が変更されてしまった場合や、遊技者がもう一度見たいと思った場合などには、変更前の画像を再確認することが可能となる。
＜他の態様−５＞
また、上述した他の態様の遊技情報表示装置においては、
遊技者が入れ替わったことを判定する交替判定手段を備え、
前記表示制御手段は、遊技者の入れ替わりが判定された場合に、最初の画像から表示させる
こととしてもよい。
こうすれば、入れ替わった新たな遊技者に対して、上記一連の事柄を最初から表すことができるため、遊技者がその一連の事柄を把握しやすくなる。その結果、遊技者に続きを見たいと思わせることができ、遊技機の稼働低下を抑制することが可能となる。
【符号の説明】
【０１６７】
１…パチンコ機（遊技機）、    ２０…遊技盤、    ２１…遊技領域、    ４０…中央装置、    ４１…演出表示装置、    ５０…セグメント表示部、    ２００…主制御基板、    ２２０…サブ制御基板、    ７０…データ表示機、    ７１…液晶表示部、    ７４…操作ボタン、    ８０…制御基板、    ８１…ＣＰＵ、    ８２…ＲＯＭ、    ８３…ＲＡＭ、    ９０…中継装置。
【図１】
0006322858.tif 000002
【図２】
0006322858.tif 000003
【図３】
0006322858.tif 000004
【図４】
0006322858.tif 000005
【図５】
0006322858.tif 000006
【図６】
0006322858.tif 000007
【図７】
0006322858.tif 000008
【図８】
0006322858.tif 000009
【図９】
0006322858.tif 000010
【図１０】
0006322858.tif 000011
【図１１】
0006322858.tif 000012
【図１２】
0006322858.tif 000013
【図１３】
0006322858.tif 000014
【図１４】
0006322858.tif 000015
【図１５】
0006322858.tif 000016
【図１６】
0006322858.tif 000017
【図１７】
0006322858.tif 000018
【図１８】
0006322858.tif 000019
【図１９】
0006322858.tif 000020
【図２０】
0006322858.tif 000021
【図２１】
0006322858.tif 000022
【図２２】
0006322858.tif 000023
【図２３】
0006322858.tif 000024
【図２４】
0006322858.tif 000025
【図２５】
0006322858.tif 000026
【図２６】
0006322858.tif 000027
【図２７】
0006322858.tif 000028
【図２８】
0006322858.tif 000029